(57)【特許請求の範囲】
【請求項１】
物体側から順に配置された、正の屈折力を有する第１レンズ群と、負の屈折力を有する第２レンズ群と、正の屈折力を有する第３レンズ群と、正の屈折力を有する第４レンズ群と、を備え、各レンズ群の光軸上の間隔を変えることにより変倍を行うズームレンズであって、
前記第１レンズ群の最も物体側には負レンズが配置され、かつ前記第１レンズ群は前記負レンズと少なくとも１枚の正レンズとを含む３枚以下の屈折力を有するレンズで構成され、
前記第３レンズ群は、１枚の正レンズと１枚の負レンズとを含む３枚以下の屈折力を有するレンズによって構成され、
広角端から望遠端への変倍に際し、前記第１レンズ群と前記第３レンズ群とが固定され、
以下に示す条件式を満足することを特徴とするズームレンズ。
（１）  ｜ＰＣｔ３ｐ−ＰＣｔ３ｎ｜≦０．１
（２ａ）  ６５≦νｄ３ｐ
（３ａ）  ５５≦νｄ３ｎ
（６）  ９．３≦ｆ３／ｆｗ≦１８．０
（１０）  νｄ１ｎ≦３０．０
（１１）  ６０≦νｄ１ｐ
ただし、ＰＣｔ３ｐは前記第３レンズ群に含まれる、正レンズのＣ線とｔ線に対する部分分散比、ＰＣｔ３ｎは前記第３レンズ群に含まれる、負レンズのＣ線とｔ線に対する部分分散比、νｄ３ｐは前記第３レンズ群に含まれる、正レンズのｄ線に対するアッベ数、νｄ３ｎは前記第３レンズ群に含まれる、負レンズのｄ線に対するアッベ数、ｆ３は前記第３レンズ群の焦点距離、ｆｗは広角端における無限遠物体合焦状態の光学系全系の焦点距離、νｄ１ｎは前記第１レンズ群に含まれる、負レンズのｄ線に対するアッベ数、νｄ１ｐは前記第１レンズ群に含まれる、正レンズのｄ線に対するアッベ数を示す。
【請求項２】
以下に示す条件式を満足することを特徴とする請求項１に記載のズームレンズ。
（４）  ｜ＰｇＦ３ｐ−ＰｇＦ３ｎ｜≦０．０２５
ただし、ＰｇＦ３ｐは前記第３レンズ群に含まれる、正レンズのｇ線とＦ線に対する部分分散比、ＰｇＦ３ｎは前記第３レンズ群に含まれる、負レンズのｇ線とＦ線に対する部分分散比を示す。
【請求項３】
以下に示す条件式を満足することを特徴とする請求項１または２に記載のズームレンズ。
（５）  ０．００２≦ＰＣｔ３ｎ−（０．５４６＋０．００４７×νｄ３ｎ）
【請求項４】
以下に示す条件式を満足することを特徴とする請求項１〜３のいずれか一つに記載のズームレンズ。
（７）  ０．６≦ｆ１／ｆｔ≦１．５
ただし、ｆ１は前記第１レンズ群の焦点距離、ｆｔは望遠端における無限遠物体合焦状態の光学系全系の焦点距離を示す。
【請求項５】
以下に示す条件式を満足することを特徴とする請求項１〜４のいずれか一つに記載のズームレンズ。
（８）  ０．７５≦ｆ３／ｆｔ≦１．８
ただし、ｆ３は前記第３レンズ群の焦点距離、ｆｔは望遠端における無限遠物体合焦状態の光学系全系の焦点距離を示す。
【請求項６】
前記第４レンズ群は、２枚の正レンズと１枚の負レンズとから構成され、
以下に示す条件式を満足することを特徴とする請求項１〜５のいずれか一つに記載のズームレンズ。
（９）  ５８．５≦νｄ４Ｐ＿ａｖｅ
ただし、νｄ４Ｐ＿ａｖｅは前記第４レンズ群に含まれる、正レンズのｄ線に対するアッベ数の平均値を示す。
【請求項７】
前記第２レンズ群は、少なくとも１枚の正レンズを含み構成され、
以下に示す条件式を満足することを特徴とする請求項１〜６のいずれか一つに記載のズームレンズ。
（１２）  νｄ２ｐ≦３０．０
ただし、νｄ２ｐは前記第２レンズ群に含まれる、正レンズのｄ線に対するアッベ数を示す。
【請求項８】
以下に示す条件式を満足することを特徴とする請求項１〜７のいずれか一つに記載のズームレンズ。
（１３）  ６．０≦ｆ１／ｆｗ≦１２．０
ただし、ｆ１は前記第１レンズ群の焦点距離、ｆｗは広角端における無限遠物体合焦状態の光学系全系の焦点距離を示す。
【請求項９】
以下に示す条件式を満足することを特徴とする請求項１〜８のいずれか一つに記載のズームレンズ。
（１４）  ３．５≦｜ｆ３／ｆ２｜≦１０．０
ただし、ｆ２は前記第２レンズ群の焦点距離、ｆ３は前記第３レンズ群の焦点距離を示す。
【請求項１０】
前記第２レンズ群と前記第３レンズ群との間に開口絞りが配置され、
前記第２レンズ群を光軸に沿って移動させることにより広角端から望遠端への変倍を行い、
前記第４レンズ群を光軸に沿って移動させることにより、変倍に伴う像面変動を補正し、無限遠物体合焦状態から最至近距離物体合焦状態までのフォーカシングを行うことを特徴とする請求項１〜９のいずれか一つに記載のズームレンズ。
【発明の詳細な説明】
【技術分野】
【０００１】
本発明は、ＣＣＤやＣＭＯＳ等の固体撮像素子が搭載された撮像装置に好適なズームレンズに関する。
【背景技術】
【０００２】
一眼レフカメラ、デジタルスチルカメラ、ビデオカメラ、監視カメラ等、ＣＣＤやＣＯＭＳ等の固体撮像素子が搭載された撮像措置が急速に普及している。これに伴い、ＣＣＤやＣＭＯＳ等の固体撮像素子が搭載された撮像装置に用いることが可能なズームレンズが数多く提案されている（たとえば、特許文献１〜３を参照。）。
【先行技術文献】
【特許文献】
【０００３】
【特許文献１】特開２００９−２９４３８７号公報
【特許文献２】特許第４２８３５５３号公報
【特許文献３】特開２００５−２１５５１８号公報
【発明の概要】
【発明が解決しようとする課題】
【０００４】
近年、固体撮像素子の高画素、高感度化が進み、撮影レンズについても高い光学性能が求められている。また、撮像装置の小型化が進み、撮影レンズの小型、軽量化も望まれている。さらに、ビデオカメラや監視カメラ等、様々な用途で使用することが可能なように、可視光域に限らず、近赤外域を含む広範な波長の光に対応した高倍率ズームレンズも求められている。
【０００５】
特許文献１に記載のズームレンズは、物体側から順に、正・負・正・正の屈折力を有するレンズ群が配置された４群構成のズームレンズである。このズームレンズは第１レンズ群のレンズ枚数が多く、また第３レンズ群のレンズに使用されている硝材の組み合わせが近赤外光に対する収差補正に不向きなものであるため、小型で、近赤外域を含む広範な波長の光に対応した撮像装置に用いることを想定したものではない。
【０００６】
特許文献２に記載のズームレンズは、物体側から順に、正・負・正・正の屈折力を有するレンズ群が配置された４群構成のズームレンズである。このズームレンズは、可視光域から近赤外域の光に対する収差補正は行われているが、第３レンズ群が正レンズ１枚もしくは正レンズ２枚で構成されており、レンズ構成と使用されている硝材が色収差補正に不向きなものであるため、光学性能の高性能化が困難という問題がある。
【０００７】
また、特許文献３に記載のズームレンズは、物体側から順に、正・負・正・正の屈折力を有するレンズ群が配置された４群構成のズームレンズである。このズームレンズは、小型で高変倍が可能である。しかしながら、第３レンズ群中に配置されている、正レンズと負レンズの硝材の特性が近赤外光の収差補正には不向きなものであるため、近赤外光の軸上色収差、像面湾曲の発生が顕著になり、近赤外域の波長の光に対する光学性能が劣化するという問題がある。
【０００８】
本発明は、上述した従来技術による問題点を解消するため、簡易な構成でありながら、可視光域から近赤外域までの広範な波長の光に対して発生する諸収差を全変倍域に亘って良好に補正することが可能な、高い光学性能を備えたズームレンズを提供することを目的とする。さらに、高い光学性能を備えた、大口径、高倍率のズームレンズを提供することを目的とする。
【課題を解決するための手段】
【０００９】
上述した課題を解決し、目的を達成するため、本発明にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、を備え、各レンズ群の光軸上の間隔を変えることにより変倍を行うズームレンズであって、前記第３レンズ群は、１枚の正レンズと１枚の負レンズとを含む３枚以下の屈折力を有するレンズによって構成され、広角端から望遠端への変倍に際し、前記第１レンズ群と前記第３レンズ群とが固定され、以下に示す条件式を満足することを特徴とする。
（１）  ｜ＰＣｔ３ｐ−ＰＣｔ３ｎ｜≦０．１
（２）  ６０≦νｄ３ｐ
（３）  ５０≦νｄ３ｎ
ただし、ＰＣｔ３ｐは前記第３レンズ群に含まれる、正レンズのＣ線とｔ線に対する部分分散比、ＰＣｔ３ｎは前記第３レンズ群に含まれる、負レンズのＣ線とｔ線に対する部分分散比、νｄ３ｐは前記第３レンズ群に含まれる、正レンズのｄ線に対するアッベ数、νｄ３ｎは前記第３レンズ群に含まれる、負レンズのｄ線に対するアッベ数を示す。
【００１０】
本発明によれば、簡易な構成でありながら、可視光域から近赤外域までの広範な波長の光に対して発生する諸収差を全変倍域に亘って良好に補正することが可能な、高い光学性能を備えたズームレンズを実現することができる。本発明によれば、可視光域から近赤外域までの広範な波長の光に対して発生する諸収差の補正機能を、３枚以下のレンズのみで構成される簡易な第３レンズ群に担わせることができる。
【００１１】
さらに、本発明にかかるズームレンズは、前記発明において、以下に示す条件式を満足することを特徴とする。
（４）  ｜ＰｇＦ３ｐ−ＰｇＦ３ｎ｜≦０．０２５
ただし、ＰｇＦ３ｐは前記第３レンズ群に含まれる、正レンズのｇ線とＦ線に対する部分分散比、ＰｇＦ３ｎは前記第３レンズ群に含まれる、負レンズのｇ線とＦ線に対する部分分散比を示す。
【００１２】
本発明によれば、第３レンズ群において、ｇ線からＦ線までの短波長域の光に対する色収差を良好に補正することができる。
【００１３】
さらに、本発明にかかるズームレンズは、前記発明において、以下に示す条件式を満足することを特徴とする。
（５）  ０．００２≦ＰＣｔ３ｎ−（０．５４６＋０．００４７×νｄ３ｎ）
【００１４】
本発明によれば、第３レンズ群において、Ｃ線からｔ線までの長波長域の光に対する色収差を良好に補正することができる。
【００１５】
さらに、本発明にかかるズームレンズは、前記発明において、以下に示す条件式を満足することを特徴とする。
（６）  ８．１≦ｆ３／ｆｗ≦１８．０
ただし、ｆ３は前記第３レンズ群の焦点距離、ｆｗは広角端における無限遠物体合焦状態の光学系全系の焦点距離を示す。
【００１６】
本発明によれば、全変倍域に亘って球面収差、像面湾曲、色収差を良好に補正することが可能な、大口径、高倍率のズームレンズを実現することができる。
【００１７】
さらに、本発明にかかるズームレンズは、前記発明において、以下に示す条件式を満足することを特徴とする。
（７）  ０．６≦ｆ１／ｆｔ≦１．５
ただし、ｆ１は前記第１レンズ群の焦点距離、ｆｔは望遠端における無限遠物体合焦状態の光学系全系の焦点距離を示す。
【００１８】
本発明によれば、望遠端における無限遠物体合焦状態で発生する球面収差、軸上色収差を良好に補正することが可能な、大口径、高倍率のズームレンズを実現することができる。
【００１９】
さらに、本発明にかかるズームレンズは、前記発明において、以下に示す条件式を満足することを特徴とする。
（８）  ０．７５≦ｆ３／ｆｔ≦１．８
ただし、ｆ３は前記第３レンズ群の焦点距離、ｆｔは望遠端における無限遠物体合焦状態の光学系全系の焦点距離を示す。
【００２０】
本発明によれば、光学系全長を短縮するとともに、球面収差、像面湾曲、コマ収差を良好に補正することができる。
【００２１】
さらに、本発明にかかるズームレンズは、前記発明において、前記第４レンズ群が、２枚の正レンズと１枚の負レンズとから構成され、以下に示す条件式を満足することを特徴とする。
（９）  ５８．５≦νｄ４Ｐ＿ａｖｅ
ただし、νｄ４Ｐ＿ａｖｅは前記第４レンズ群に含まれる、正レンズのｄ線に対するアッベ数の平均値を示す。
【００２２】
本発明によれば、第４レンズ群において、軸上色収差、倍率色収差を良好に補正することができる。
【００２３】
さらに、本発明にかかるズームレンズは、前記発明において、前記第１レンズ群の最も物体側に負レンズが配置され、かつ前記第１レンズ群は前記負レンズと少なくとも１枚の正レンズとを含む３枚以下の屈折力を有するレンズによって構成され、以下に示す条件式を満足することを特徴とする。
（１０）  νｄ１ｎ≦３０．０
（１１）  ６０≦νｄ１ｐ
ただし、νｄ１ｎは前記第１レンズ群に含まれる、負レンズのｄ線に対するアッベ数、νｄ１ｐは前記第１レンズ群に含まれる、正レンズのｄ線に対するアッベ数を示す。
【００２４】
本発明によれば、光学系の全長を短縮するとともに、第１レンズ群において、軸上色収差を良好に補正することができる。
【００２５】
さらに、本発明にかかるズームレンズは、前記発明において、前記第２レンズ群が、少なくとも１枚の正レンズを含み構成され、以下に示す条件式を満足することを特徴とする。
（１２）  νｄ２ｐ≦３０．０
ただし、νｄ２ｐは前記第２レンズ群に含まれる、正レンズのｄ線に対するアッベ数を示す。
【００２６】
本発明によれば、第２レンズ群において、像面湾曲、倍率色収差を良好に補正することができる。
【００２７】
さらに、本発明にかかるズームレンズは、前記発明において、以下に示す条件式を満足することを特徴とする。
（１３）  ６．０≦ｆ１／ｆｗ≦１２．０
ただし、ｆ１は前記第１レンズ群の焦点距離、ｆｗは広角端における無限遠物体合焦状態の光学系全系の焦点距離を示す。
【００２８】
本発明によれば、光学系全長を短縮するとともに、倍率色収差、球面収差を良好に補正することができる。
【００２９】
さらに、本発明にかかるズームレンズは、前記発明において、以下に示す条件式を満足することを特徴とする。
（１４）  ３．５≦｜ｆ３／ｆ２｜≦１０．０
ただし、ｆ２は前記第２レンズ群の焦点距離、ｆ３は前記第３レンズ群の焦点距離を示す。
【００３０】
本発明によれば、光学系全長を短縮するとともに、コマ収差、像面湾曲を良好に補正することができる。
【００３１】
さらに、本発明にかかるズームレンズは、前記発明において、前記第２レンズ群と前記第３レンズ群との間に開口絞りが配置され、前記第２レンズ群を光軸に沿って移動させることにより広角端から望遠端への変倍を行い、前記第４レンズ群を光軸に沿って移動させることにより、変倍に伴う像面変動を補正し、無限遠物体合焦状態から最至近距離物体合焦状態までのフォーカシングを行うことを特徴とする。
【００３２】
本発明によれば、開口絞りを、負の屈折力を有する第２レンズ群と正の屈折力を有する第３レンズ群との間に配置することで、周辺光量を確保しながら絞り径を小さくすることができ、光学系の小径化を図ることが可能になる。また、第４レンズ群に変倍時の像面湾曲補正機能と、物体距離変化に伴う焦点位置を調節する機能をもたせることで、変倍に伴う像面湾曲補正と合焦に伴う収差変動を効率的に実行することが可能になる。
【発明の効果】
【００３３】
本発明によれば、簡易な構成でありながら、可視光域から近赤外域までの広範な波長の光に対して発生する諸収差を全変倍域に亘って良好に補正することが可能な、高い光学性能を備えたズームレンズを提供することができるという効果を奏する。さらに、高い光学性能を備えた、大口径、高倍率のズームレンズを提供することができるという効果を奏する。
【図面の簡単な説明】
【００３４】
【図１】Ｃ線とｔ線に対する異常分散性について説明するためのグラフである。
【図２】実施例１にかかるズームレンズの構成を示す光軸に沿う断面図である。
【図３】実施例１にかかるズームレンズの諸収差図である。
【図４】実施例２にかかるズームレンズの構成を示す光軸に沿う断面図である。
【図５】実施例２にかかるズームレンズの諸収差図である。
【図６】実施例３にかかるズームレンズの構成を示す光軸に沿う断面図である。
【図７】実施例３にかかるズームレンズの諸収差図である。
【図８】実施例４にかかるズームレンズの構成を示す光軸に沿う断面図である。
【図９】実施例４にかかるズームレンズの諸収差図である。
【図１０】実施例５にかかるズームレンズの構成を示す光軸に沿う断面図である。
【図１１】実施例５にかかるズームレンズの諸収差図である。
【図１２】実施例６にかかるズームレンズの構成を示す光軸に沿う断面図である。
【図１３】実施例６にかかるズームレンズの諸収差図である。
【図１４】実施例７にかかるズームレンズの構成を示す光軸に沿う断面図である。
【図１５】実施例７にかかるズームレンズの諸収差図である。
【図１６】実施例８にかかるズームレンズの構成を示す光軸に沿う断面図である。
【図１７】実施例８にかかるズームレンズの諸収差図である。
【図１８】実施例９にかかるズームレンズの構成を示す光軸に沿う断面図である。
【図１９】実施例９にかかるズームレンズの諸収差図である。
【発明を実施するための形態】
【００３５】
以下、本発明にかかるズームレンズの好適な実施の形態を詳細に説明する。
【００３６】
本発明にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、を備えて構成される。そして、各レンズ群の光軸上の間隔を変えることにより変倍を行う。
【００３７】
高画素、高感度化が進んだ撮像素子を備えた撮像装置では、従来は問題とされなかったわずかな収差が発生しても画質の低下を招きやすい。そこで、本発明では、高画素、高感度化が進んだ撮像素子を備えた撮像装置であっても画質の低下を招くことがない、高い光学性能を備えたズームレンズを提供しようとするものである。特に、監視用カメラ等夜間使用される撮像装置にも用いることができるように、可視光域のみならず近赤外域までの広範な波長の光に対して発生する諸収差を全変倍域に亘って良好に補正することが可能な、高い光学性能を備えたズームレンズを提供することを目的としている。そこで、かかる目的を達成するすべく、本発明では、以下に示すような各種条件を設定している。
【００３８】
本発明にかかるズームレンズにおいて、第３レンズ群は、１枚の正レンズと１枚の負レンズとを含み全体で３枚以下の屈折力を有するレンズで構成される。このように第３レンズ群を３枚以下のレンズのみで構成し簡略化することにより、光学系全長の短縮を促進することができる。
【００３９】
なお、本発明において、第３レンズ群を構成するレンズは、すべて屈折力を有するものであり、たとえば焦点距離が無限遠の平行平面板や、光学素子の焦点距離をｆｓとしたとき、第３レンズ群の焦点距離ｆ３の１．８倍以上である｜ｆｓ／ｆ３｜≧１．８となるようなほとんど屈折力をもたず、収差補正効果の少ない光学素子は含まない。また、第３レンズ群を構成するレンズ同士は、接合されていても、間に空気層が形成されていても差支えない。
【００４０】
さらに、本発明にかかるズームレンズは、広角端から望遠端への変倍に際し、第１レンズ群と第３レンズ群とが固定される。このようにすることで、変倍時に移動するレンズ群を少なくすることができ、レンズ駆動機構を簡略化することが可能になる。
【００４１】
また、本発明にかかるズームレンズにおいて、第４レンズ群よりも像側に第５レンズ群を配置してもよい。このようにすることで、より高い収差補正効果が得られ、非常に高い光学性能を備えたズームレンズを実現することができる。なお、第５レンズ群を備える場合、光学系の全長が延びることを防止するため、第５レンズ群は変倍の際に固定されることが好ましい。さらに、第５レンズ群を備える場合、第５レンズ群の屈折力は正でも負でもよく、またその焦点距離は比較的長く形成するとよい。
【００４２】
光学系において、長波長域の光に対する光学性能を維持するために最も危惧されるのは色収差である。そこで、本発明では、主に第３レンズ群に色収差補正の役割を担わることにする。第３レンズ群は変倍時も移動しないため、安定した色収差補正を行うことが期待できるからである。色収差は、レンズ材料の分散が原因となって色ズレとして発生する収差であり、長波長域の光に対して良好な色収差補正を行うためには、長波長域の光に対する部分分散比を適切に設定する必要がある。
【００４３】
部分分散比とは、部分分散を主分散で割った値である。主分散とは基準となる２つの波長での屈折率の差のことを云い、部分分散とは他の２つの波長の屈折率の差のことを云う。
【００４４】
ここで、各スペクトル線とその波長をｔ線（１０１３．９８ｎｍ）、Ｃ線（６５６．２７ｎｍ）、ｄ線（５８７．５６ｎｍ）、Ｆ線（４８６．１３ｎｍ）、ｇ線（４３５．８４ｎｍ）とし、任意の文字ｘ，ｙを各スペクトル線に対応させたとき、ｘ線，ｙ線に対する屈折率をｎｘ，ｎｙと定義する。たとえば、ｄ線に対する屈折率はｎｄ、Ｆ線に対する屈折率はｎＦと表す。さらに、ｘ線とｙ線に対する部分分散比をＰｘｙと表し、Ｐｘｙ＝（ｎｘ−ｎｙ）／（ｎＦ−ｎＣ)と定義する。たとえば、Ｃ線とｔ線に対する部分分散比ＰＣｔは、ＰＣｔ＝（ｎＣ−ｎｔ）／（ｎＦ−ｎＣ）である。
【００４５】
本発明にかかるズームレンズでは、上記構成を前提に、第３レンズ群に含まれる、正レンズのＣ線とｔ線に対する部分分散比をＰＣｔ３ｐ、第３レンズ群に含まれる、負レンズのＣ線とｔ線に対する部分分散比をＰＣｔ３ｎ、第３レンズ群に含まれる、正レンズのｄ線に対するアッベ数をνｄ３ｐ、第３レンズ群に含まれる、負レンズのｄ線に対するアッベ数をνｄ３ｎとするとき、次の条件式を満足することが好ましい。
（１）  ｜ＰＣｔ３ｐ−ＰＣｔ３ｎ｜≦０．１
（２）  ６０≦νｄ３ｐ
（３）  ５０≦νｄ３ｎ
【００４６】
条件式（１）は、第３レンズ群の正レンズと負レンズのＣ線とｔ線に対する部分分散比ＰＣｔの差を規定するものである。条件式（１）を満足することにより、第３レンズ群中ンに配置される正レンズと負レンズのＰＣｔを適切に設定することができる。この結果、第３レンズ群において、Ｃ線からｔ線までの長波長域において発生する色収差を全変倍域に亘って良好に補正することができる。
【００４７】
条件式（１）においてその上限値を超えると、第３レンズ群において、Ｃ線からｔ線までの軸上色収差を適切に補正することができず、長波長域の光に対して良好な光学性能を維持することが困難になる。
【００４８】
条件式（２）は、第３レンズ群に含まれる、正レンズのｄ線に対するアッベ数を規定したものである。条件式（２）を満足することにより、第３レンズ群において、全変倍域に亘って軸上色収差、倍率色収差を良好に補正し、高い光学性能を維持することができる。
【００４９】
条件式（２）においてその下限値を下回ると、第３レンズ群に含まれる、正レンズの分散が大きくなることで、可視光域の光に対して発生する発生する軸上色収差、倍率色収差が顕著になり、良好な光学性能を維持することが困難になる。
【００５０】
条件式（３）は、第３レンズ群に含まれる、負レンズのｄ線に対するアッベ数を規定するものである。条件式（３）を満足することにより、第３レンズ群において、全変倍域に亘ってＣ線よりも長波長域の光に対する色収差を良好に補正することができる。
【００５１】
条件式（３）においてその下限値を下回ると、第３レンズ群に含まれる、負レンズの分散が大きくなり、Ｃ線より長波長域の光に対する色収差の発生が顕著になり、第３レンズに含まれる、正レンズで軸上色収差を良好に補正しきれなくなる。
【００５２】
以上のように、本発明にかかるズームレンズにおいて、条件式（１）〜（３）を満足することにより、３枚以下のレンズのみからなる小型で簡易な構成である第３レンズ群に、可視光域から近赤外域までの広範な波長の光に対して発生する諸収差を全変倍域に亘って良好に補正する機能を担わせることが可能になる。
【００５３】
なお、上記条件式（１）は、次に示す範囲を満足すると、より好ましい効果が期待できる。
（１ａ）  ｜ＰＣｔ３ｐ−ＰＣｔ３ｎ｜≦０．０８
【００５４】
また、上記条件式（１ａ）は、次に示す範囲を満足すると、さらに好ましい効果が期待できる。
（１ｂ）  ｜ＰＣｔ３ｐ−ＰＣｔ３ｎ｜≦０．０６
【００５５】
上記条件式（２）は、次に示す範囲を満足すると、より好ましい効果が期待できる。
（２ａ）  ６５≦νｄ３ｐ
【００５６】
また、上記条件式（２ａ）は、次に示す範囲を満足すると、さらに好ましい効果が期待できる。
（２ｂ）  ７０≦νｄ３ｐ
【００５７】
上記条件式（３）は、次に示す範囲を満足すると、より好ましい効果が期待できる。
（３ａ）  ５５≦νｄ３ｎ
【００５８】
また、上記条件式（３ａ）は、次に示す範囲を満足すると、さらに好ましい効果が期待できる。
（３ｂ）  ６０≦νｄ３ｎ
【００５９】
さらに、本発明にかかるズームレンズでは、第３レンズ群に含まれる、正レンズのｇ線とＦ線に対する部分分散比をＰｇＦ３ｐ、第３レンズ群に含まれる、負レンズのｇ線とＦ線に対する部分分散比をＰｇＦ３ｎとするとき、次の条件式を満足することが好ましい。
（４）  ｜ＰｇＦ３ｐ−ＰｇＦ３ｎ｜≦０．０２５
【００６０】
条件式（４）は、第３レンズ群に含まれる、正レンズと負レンズのｇ線とＦ線に対する部分分散比ＰｇＦの差を規定するものである。条件式（４）を満足することにより、第３レンズ群に含まれる、正レンズと負レンズのＰｇＦを適切に設定することができる。この結果、第３レンズ群において、ｇ線からＦ線までの短波長域の光に対する色収差を良好に補正することが可能になる。
【００６１】
条件式（４）においてその上限値を超えると、第３レンズ群において、ｇ線からＦ線までの短波長域の光に対する軸上色収差の発生が顕著になるとともに、短波長域の光に対するコマ収差、倍率色収差も発生し、良好な光学性能を得ることが困難になる。
【００６２】
なお、上記条件式（４）は、次に示す範囲を満足すると、より好ましい効果が期待できる。
（４ａ）  ｜ＰｇＦ３ｐ−ＰｇＦ３ｎ｜≦０．０２
【００６３】
また、上記条件式（４ａ）は、次に示す範囲を満足すると、さらに好ましい効果が期待できる。
（４ｂ）  ｜ＰｇＦ３ｐ−ＰｇＦ３ｎ｜≦０．０１５
【００６４】
さらに、第３レンズ群における、長波長域の光に対する色収差補正を向上させるためには、第３レンズ群に含まれる負レンズの長波長域の光に対する異常分散性を適切に設定するとよい。光学素子において、アッベ数を横軸に、部分分散比を縦軸にとったグラフを作成すると、ある直線上に乗る性質があるが、直線上に乗らないものを異常分散性という。
【００６５】
ここで、Ｃ線とｔ線に対する異常分散性について説明する。図１は、Ｃ線とｔ線に対する異常分散性について説明するためのグラフである。図１に示すように、まず、ＸＹ座標平面上のＸ軸にｄ線に対するアッベ数νｄ、Ｙ軸にＣ線とｔ線に対する部分分散比ＰＣｔをとる。そして、Ｃ線とｔ線に関する２つの基準硝材に対して座標平面上の２点を定め、その２点を結ぶ直線をＣ線とｔ線に関する標準線Ｃｔと定義する。本発明では、標準線Ｃｔを、傾き０．００４７、切片０．５４６の直線として「標準線Ｃｔ：ＰＣｔ＝０．５４６＋０．００４７×νｄ」と定める。これにより、Ｃ線とｔ線に関する異常分散性を、与えられた硝材のνｄに対して、標準線ＣｔからのＰＣｔの偏差ΔＰＣｔを異常分散性の値と定義できる。たとえば、任意の硝材ｉのｄ線に対するアッベ数をνｄｉ，Ｃ線とｔ線に対する部分分散比をＰＣｔｉとしたとき、任意の硝材ｉのＣ線とｔ線に関する異常分散性ΔＰＣｔｉは、ΔＰＣｔｉ＝ＰＣｔｉ−（０．５４６＋０．００４７×νｄｉ）と計算できる。このように定義したΔＰＣｔが、Ｃ線とｔ線に関する異常分散性を表す。
【００６６】
本発明において、近赤外域の波長の光に対する色収差補正までを考えた場合、第３レンズ群中に配置される負レンズはΔＰＣｔの値が大きくなる硝材で形成するとよい。なぜなら、ΔＰＣｔの値が大きい硝材は、νｄが比較的大きな低分散側でＣ線からｔ線までの分散（ｎＣ−ｎｔ）が小さくなる傾向があるため、Ｃ線までの色収差を補正しておけば、近赤外域の波長の光に対する色収差があまり大きくならず、第３レンズ群中の正レンズを用いて色収差を補正しやすくなるからである。
【００６７】
そこで、本発明にかかるズームレンズでは、第３レンズ群に含まれる、負レンズのＣ線とｔ線に対する部分分散比をＰＣｔ３ｎ、第３レンズ群に含まれる、負レンズのｄ線に対するアッベ数をνｄ３ｎとするとき、次の条件式を満足することが好ましい。
（５）  ０．００２≦ＰＣｔ３ｎ−（０．５４６＋０．００４７×νｄ３ｎ）
【００６８】
条件式（５）は、第３レンズ群に含まれる、負レンズのＣ線とｔ線に対する異常分散性を規定したものである。第３レンズ群が少なくとも１枚の負レンズを含み構成されていることを前提に、条件式（５）を満足することにより、第３レンズ群において、Ｃ線からｔ線までの長波長域の光に対する色収差を良好に補正することができる。
【００６９】
条件式（５）においてその下限値を下回ると、第３レンズ群で発生するＣ線からｔ線までの光に対する軸上色収差を適切に補正することができず、近赤外光を含む長波長域の光に対して良好な光学性能を維持することが困難になる。
【００７０】
なお、上記条件式（５）は、次に示す範囲を満足すると、より好ましい効果が期待できる。
（５ａ）  ０．０１≦ＰＣｔ３ｎ−（０．５４６＋０．００４７×νｄ３ｎ）
【００７１】
また、上記条件式（５ａ）は、次に示す範囲を満足すると、さらに好ましい効果が期待できる。
（５ｂ）  ０．０２≦ＰＣｔ３ｎ−（０．５４６＋０．００４７×νｄ３ｎ）
【００７２】
また、高画素、高感度化が進んだ撮像素子を備えた撮像装置においても、高画質の画像が得られる大口径、高倍率のズームレンズが望ましい。特に、監視用カメラ等夜間使用される撮像装置に用いる場合、高性能な明るい結像光学系が求められる。そこで、本発明では、高い光学性能を備えた大口径、高倍率のズームレンズを実現すべく、以下に示すような各種条件を設定している。
【００７３】
すなわち、本発明にかかるズームレンズでは、第３レンズ群の焦点距離をｆ３、広角端における無限遠物体合焦状態の光学系全系の焦点距離をｆｗとするとき、次の条件式を満足することが好ましい。
（６）  ８．１≦ｆ３／ｆｗ≦１８．０
【００７４】
条件式（６）は、広角端における無限遠物体合焦状態の光学系全系の焦点距離に対する第３レンズ群の焦点距離の比率を規定するものである。特に、第３レンズ群の焦点距離は球面収差、像面湾曲、色収差の補正に大きな影響を及ぼす。条件式（６）を満足することにより、全変倍域に亘って球面収差、像面湾曲、色収差を良好に補正することができる。ズームレンズの大口径、高倍率化によって顕著になる球面収差も、条件式（６）を満足することにより良好に補正することが可能になる。すなわち、条件式（６）を満足することにより、高い光学性能を備えた、大口径、高倍率のズームレンズを実現することができる。
【００７５】
なお、広角端における球面収差をより良好に補正にするためには、第３レンズ群の最も物体側の面に非球面を形成することが好ましい。また、第３レンズ群の最も物体側の面と最も像側の面とをともに像面に向かって凹形状にすると、第３レンズ群の焦点距離が比較的長くなって、第３レンズ群の焦点距離が適切な値になり、球面収差と像面湾曲の補正を行いやすくなる。
【００７６】
条件式（６）においてその下限値を下回ると、第３レンズ群の焦点距離が短くなり、広角端から望遠端に亘って球面収差の補正が不足するとともに、像面湾曲の発生が顕著になて、高い光学性能を維持することが困難になる。一方、条件式（６）においてその上限値を超えると、第３レンズ群の焦点距離が長くなりすぎて、広角端から望遠端に亘って球面収差の補正が過剰になり、高い光学性能を維持することが困難になる。
【００７７】
なお、上記条件式（６）は、次に示す範囲を満足すると、より好ましい効果が期待できる。
（６ａ）  ９．３≦ｆ３／ｆｗ≦１６．７
【００７８】
また、上記条件式（６ａ）は、次に示す範囲を満足すると、さらに好ましい効果が期待できる。
（６ｂ）  １０．５≦ｆ３／ｆｗ≦１５．５
【００７９】
さらに、本発明にかかるズームレンズでは、第１レンズ群の焦点距離をｆ１、望遠端における無限遠物体合焦状態の光学系全系の焦点距離をｆｔとするとき、次の条件式を満足することが好ましい。
（７）  ０．６≦ｆ１／ｆｔ≦１．５
【００８０】
条件式（７)は、望遠端における無限遠物体合焦状態の光学系全系の焦点距離に対する第１レンズ群の焦点距離の比率を規定するものである。条件式（７）を満足することにより、望遠端における無限遠物体合焦状態で発生する球面収差、軸上色収差を良好に補正することが可能な、大口径、高倍率のズームレンズを実現することができる。
【００８１】
条件式（７）においてその下限値を下回ると、第１レンズ群の焦点距離が短くなりすぎて、望遠端における無限遠物体合焦状態で発生する球面収差の補正が不足し、高い結像性能を維持することが困難になる。一方、条件式（７）においてその上限値を超えると、第１レンズ群の焦点距離が長くなりすぎて、望遠端における無限遠物体合焦状態で発生する軸上色収差が顕著になるため、高い光学性能を維持することが困難になる。
【００８２】
なお、上記条件式（７）は、次に示す範囲を満足すると、より好ましい効果が期待できる。
（７ａ）  ０．７≦ｆ１／ｆｔ≦１．４
【００８３】
また、上記条件式（７ａ）は、次に示す範囲を満足すると、さらに好ましい効果が期待できる。
（７ｂ）  ０．８≦ｆ１／ｆｔ≦１．２
【００８４】
さらに、本発明にかかるズームレンズでは、第３レンズ群の焦点距離をｆ３、望遠端における無限遠物体合焦状態の光学系全系の焦点距離をｆｔとするとき、次の条件式を満足することが好ましい。
（８）  ０．７５≦ｆ３／ｆｔ≦１．８
【００８５】
条件式（８）は、望遠端における無限遠物体合焦状態の光学系全系の焦点距離に対する第３レンズ群の焦点距離の比率を規定するものである。条件式（８）を満足することにより、光学系全長を短縮するとともに、球面収差、像面湾曲、コマ収差を良好に補正することができる。
【００８６】
条件式（８）においてその下限値を下回ると、第３レンズ群の焦点距離が短くなりすぎて、広角端から望遠端に亘って球面収差の補正が不足するとともに、像面湾曲、コマ収差の発生が顕著になって、高い光学性能を維持することが困難になる。一方、条件式（８）においてその上限値を超えると、第３レンズ群の焦点距離が長くなりすぎて、広角端から望遠端に亘って球面収差の補正が過剰なるとともに、像面湾曲、コマ収差の発生も顕著になって、高い光学性能を維持することが困難になる。また、第３レンズ群の焦点距離が長くなるため、望遠端における光学系全長が長くなって、光学系の小型化を図ることが困難になる。
【００８７】
なお、上記条件式（８）は、次に示す範囲を満足すると、より好ましい効果が期待できる。
（８ａ）  ０．９≦ｆ３／ｆｔ≦１．５
【００８８】
また、上記条件式（８ａ）は、次に示す範囲を満足すると、さらに好ましい効果が期待できる。
（８ｂ）  １．０≦ｆ３／ｆｔ≦１．４
【００８９】
さらに、本発明にかかるズームレンズでは、第４レンズ群を２枚の正レンズと１枚の負レンズとから構成するとともに、当該第４レンズ群に含まれる、２枚の正レンズのｄ線に対するアッベ数の平均値をνｄ４Ｐ＿ａｖｅとするとき、次の条件式を満足することが好ましい。
（９）  ５８．５≦νｄ４Ｐ＿ａｖｅ
【００９０】
条件式（９）は、第４レンズ群に含まれる、２枚の正レンズのｄ線に対するアッベ数の平均値を規定するものである。第４レンズ群が正レンズを含み構成されていることを前提に、条件式（９）を満足することにより、第４レンズ群において、軸上色収差を良好に補正することができる。
【００９１】
条件式（９）においてその下限値を下回ると、第４レンズ群中の正レンズで発生する分散が大きくなることで軸上色収差の発生が顕著になり、高い光学性能を維持することが困難になる。
【００９２】
なお、上記条件式（９）は、次に示す範囲を満足すると、より好ましい効果が期待できる。
（９ａ）  ６３．５≦νｄ４Ｐ＿ａｖｅ
【００９３】
また、上記条件式（９ａ）は、次に示す範囲を満足すると、さらに好ましい効果が期待できる。
（９ｂ）  ６８．５≦νｄ４Ｐ＿ａｖｅ
【００９４】
ところで、本発明にかかるズームレンズにおいては、第４レンズ群の最も物体側の面が物体側に凸形状になっていることが好ましい。たとえば、物体側から順に、正レンズ、負レンズ、正レンズを配置して第４レンズ群を構成するとよい。第４レンズ群の最も物体側の面を物体側に凸形状とすることで第４レンズ群への入射光線を収束させ、第４レンズ群以降の光路長を短くすることができるため、光学系のより小型化を図ることが可能になる。
【００９５】
なお、第４レンズ群の最も物体側の面が物体側に凹形状となっている場合、凹面が発散面となるため、凹面より像側のレンズ有効径が大きくなるとともに、像面までの光路長が長くなり、光学系を小型化することが困難になる。
【００９６】
さらに、本発明にかかるズームレンズにおいては、第１レンズ群の最も物体側に負レンズを配置し、かつ第１レンズ群を当該負レンズと少なくとも１枚の正レンズとを含む３枚以下の屈折力を有するレンズで構成するとよい。第１レンズ群の最も物体側に負レンズが配置されるとともに、第１レンズ群が少なくとも１枚の正レンズを有することで、望遠端における軸上色収差を良好に補正することができる。また、第１レンズ群を３枚以下の屈折力を有するレンズで構成することで第１レンズ群の小型化を図り、光学系全長を短縮することができる。
【００９７】
加えて、本発明にかかるズームレンズでは、第１レンズ群に含まれる、負レンズのｄ線に対するアッベ数をνｄ１ｎ、第１レンズ群に含まれる、正レンズのｄ線に対するアッベ数をνｄ１ｐとするとき、次の条件式を満足することが好ましい。
（１０）  νｄ１ｎ≦３０．０
（１１）  ６０≦νｄ１ｐ
【００９８】
条件式（１０）は、第１レンズ群に含まれる、負レンズのｄ線に対するアッベ数を規定するものである。条件式（１０）を満足することにより、第１レンズ群中の負レンズにおいて、軸上色収差を良好に補正することができる。
【００９９】
条件式（１０）においてその上限値を超えると、第１レンズ群中の正レンズで発生する軸上色収差を第１レンズ群中の負レンズで補正することが困難になり、特に望遠端において軸上色収差を良好に補正することができなくなる。
【０１００】
条件式（１１）は、第１レンズ群に含まれる、正レンズのｄ線に対するアッベ数を規定するものである。条件式（１１）を満足することにより、第１レンズ群中の正レンズで発生する軸上色収差を抑制することができる。
【０１０１】
条件式（１１）においてその下限値を下回ると、第１レンズ群中の正レンズで発生する軸上色収差が顕著になるため、高い光学性能を維持することが困難になる。
【０１０２】
なお、上記条件式（１０）は、次に示す範囲を満足すると、より好ましい効果が期待できる。
（１０ａ）  νｄ１ｎ≦２８．０
【０１０３】
また、上記条件式（１０ａ）は、次に示す範囲を満足すると、さらに好ましい効果が期待できる。
（１０ｂ）  νｄ１ｎ≦２６．０
【０１０４】
上記条件式（１１）は、次に示す範囲を満足すると、より好ましい効果が期待できる。
（１１ａ）  ６５≦νｄ１ｐ
【０１０５】
また、上記条件式（１１ａ）は、次に示す範囲を満足すると、さらに好ましい効果が期待できる。
（１１ｂ）  ７０≦νｄ１ｐ
【０１０６】
さらに、本発明にかかるズームレンズでは、第２レンズ群が、少なくとも１枚の正レンズを含み構成され、当該第２レンズ群に含まれる、正レンズのｄ線に対するアッベ数をνｄ２ｐとするとき、次の条件式を満足することが好ましい。
（１２）  νｄ２ｐ≦３０．０
【０１０７】
条件式（１２）は、第２レンズ群に含まれる、正レンズのｄ線に対するアッベ数を規定するものである。第２レンズ群が正レンズを含み構成されていることを前提に、条件式（１２）を満足することにより、第２レンズ群において、像面湾曲、倍率色収差を良好に補正することができる。
【０１０８】
条件式（１２）においてその上限値を超えると、第２レンズ群中で発生した像面湾曲、倍率色収差を、第２レンズ群中の正レンズで補正することが困難になる。
【０１０９】
なお、上記条件式（１２）は、次に示す範囲を満足すると、より好ましい効果が期待できる。
（１２ａ）  νｄ２ｐ≦２８．０
【０１１０】
また、上記条件式（１２ａ）は、次に示す範囲を満足すると、さらに好ましい効果が期待できる。
（１２ｂ）  νｄ２ｐ≦２６．０
【０１１１】
さらに、本発明にかかるズームレンズでは、第１レンズ群の焦点距離をｆ１、広角端における無限遠物体合焦状態の光学系全系の焦点距離をｆｗとするとき、次の条件式を満足することが好ましい。
（１３）  ６．０≦ｆ１／ｆｗ≦１２．０
【０１１２】
条件式（１３）は、広角端における無限遠物体合焦状態の光学系全系の焦点距離に対する第１レンズ群の焦点距離の比率を規定するものである。条件式（１３）を満足することにより、光学系全長を短縮するとともに、倍率色収差、球面収差を良好に補正することができる。
【０１１３】
条件式（１３）においてその下限値を下回ると、第１レンズ群の焦点距離が短くなりすぎて、第１レンズ群で発生する倍率色収差や球面収差が顕著になり、第１レンズ群で発生した倍率色収差や球面収差を第２レンズ群以降で適切に補正することが困難になる。一方、条件式（１３）においてその上限値を超えると、第１レンズ群の焦点距離が長くなりすぎて、光学系全長の短縮が困難になる。
【０１１４】
なお、上記条件式（１３）は、次に示す範囲を満足すると、より好ましい効果が期待できる。
（１３ａ）  ６．７５≦ｆ１／ｆｗ≦１１．２５
【０１１５】
また、上記条件式（１３ａ）は、次に示す範囲を満足すると、さらに好ましい効果が期待できる。
（１３ｂ）  ７．５≦ｆ１／ｆｗ≦１０．５
【０１１６】
さらに、本発明にかかるズームレンズでは、第２レンズ群の焦点距離をｆ２、第３レンズ群の焦点距離をｆ３とするとき、次の条件式を満足することが好ましい。
（１４）  ３．５≦｜ｆ３／ｆ２｜≦１０．０
【０１１７】
条件式（１４）は、第２レンズ群の焦点距離に対する第３レンズ群の焦点距離の比率の絶対値を規定するものである。条件式（１４）を満足することにより、光学系全長を短縮するとともに、第２レンズ群で発生するコマ収差、像面湾曲を抑制することができる。
【０１１８】
条件式（１４）においてその下限値を下回ると、第２レンズ群の焦点距離が長くなりすぎて、広角端から望遠端への変倍時に第２レンズ群の移動量が増加し光学系の全長が延びるため、光学系の小型化が困難になる。一方、条件式（１４）においてその上限値を超えると、第２レンズ群の焦点距離が短くなりすぎて、第２レンズ群で発生するコマ収差、像面湾曲が顕著になる。第２レンズ群でコマ収差、像面湾曲が過剰に発生した場合、それを第３レンズ群で補正することは困難であり、光学性能の劣化を招く。
【０１１９】
なお、上記条件式（１４）は、次に示す範囲を満足すると、より好ましい効果が期待できる。
（１４ａ）  ４．７≦｜ｆ３／ｆ２｜≦９．２
【０１２０】
また、上記条件式（１４ａ）は、次に示す範囲を満足すると、さらに好ましい効果が期待できる。
（１４ｂ）  ５．５≦｜ｆ３／ｆ２｜≦８．５
【０１２１】
さらに、本発明にかかるズームレンズでは、第３レンズ群の焦点距離をｆ３、第４レンズ群の焦点距離をｆ４とするとき、次の条件式を満足することが好ましい。
（１５）  １．２≦ｆ３／ｆ４≦６．５
【０１２２】
条件式（１５）は、第４レンズ群の焦点距離に対する第３レンズ群の焦点距離の比率を規定するものである。条件式（１５）を満足することにより、光学系全長を短縮するとともに、第３レンズ群で発生する球面収差、コマ収差、像面湾曲を抑制することができる。
【０１２３】
条件式（１５）においてその下限値を下回ると、第４レンズ群の焦点距離に対する第３レンズ群の焦点距離が短くなりすぎて、第３レンズ群で球面収差、コマ収差、像面湾曲を補正しきれなかった場合それを第４レンズ群で十分に補正することが困難になる。一方、条件式（１５）においてその上限値を超えると、第４レンズ群の焦点距離に対する第３レンズ群の焦点距離が長くなりすぎて、第３レンズ群で球面収差、コマ収差が発しやすくなる。また、第３レンズ群の焦点距離が長くなることによって光学系全長が延びることにもなる。
【０１２４】
なお、上記条件式（１５）は、次に示す範囲を満足すると、より好ましい効果が期待できる。
（１５ａ）  １．９≦ｆ３／ｆ４≦５．８
【０１２５】
また、上記条件式（１５ａ）は、次に示す範囲を満足すると、さらに好ましい効果が期待できる。
（１５ｂ）  ２．５≦ｆ３／ｆ４≦４．８
【０１２６】
また、本発明にかかるズームレンズにおいて、近赤外域の波長の光に対する色収差の補正を十分に行うことを考慮した場合、第３レンズ群のみならず、他のレンズ群中に配置される負レンズも、ΔＰＣｔ＝ＰＣｔ−（０．５４６＋０．００４７×νｄ）≧０を満足する硝材で形成することが望ましい。なぜなら、前述のように、ΔＰＣｔ≧０を満足する硝材は、ｎνｄが比較的大きな低分散側でＣ線からｔ線までの分散（ｎＣ−ｎｔ）が小さくなる傾向があるため、Ｃ線までの光に対する色収差を補正しておけば、近赤外域の色収差があまり大きくならず、正レンズを用いて色収差を補正しやすくなるからである。
【０１２７】
そこで、本発明にかかるズームレンズにおいて、第１レンズ群は少なくとも１枚の負レンズを含み構成され、第１レンズ群に含まれる、負レンズのＣ線とｔ線に対する部分分散比をＰＣｔ１ｎ、第１レンズ群に含まれる、負レンズのｄ線に対するアッベ数をνｄ１ｎとするとき、次の条件式を満足することが好ましい。
（１６）  ０．０００≦ＰＣｔ１ｎ−（０．５４６＋０．００４７×νｄ１ｎ）
【０１２８】
条件式（１６）は、第１レンズ群に含まれる、負レンズのＣ線とｔ線に対する異常分散性を規定したものである。第１レンズ群が少なくとも１枚の負レンズを含み構成されていることを前提に、条件式（１６）を満足することにより、第１レンズ群においても、Ｃ線からｔ線までの長波長域の光に対する色収差を良好に補正することができ、より光学性能を向上させることが可能になる。
【０１２９】
なお、上記条件式（１６）は、次に示す範囲を満足すると、より好ましい効果が期待できる。
（１６ａ）  ０．００１≦ＰＣｔ１ｎ−（０．５４６＋０．００４７×νｄ１ｎ）
【０１３０】
また、上記条件式（１６ａ）は、次に示す範囲を満足すると、さらに好ましい効果が期待できる。
（１６ｂ）  ０．００２≦ＰＣｔ１ｎ−（０．５４６＋０．００４７×νｄ１ｎ）
【０１３１】
また、本発明にかかるズームレンズにおいて、第２レンズ群は少なくとも１枚の負レンズを含み構成され、第２レンズ群に含まれる、負レンズのＣ線とｔ線に対する部分分散比をＰＣｔ２ｎ、第２レンズ群に含まれる、負レンズのｄ線に対するアッベ数をνｄ２ｎとするとき、次の条件式を満足することが好ましい。
（１７）  ０．０００≦ＰＣｔ２ｎ−（０．５４６＋０．００４７×νｄ２ｎ）
【０１３２】
条件式（１７）は、第２レンズ群に含まれる、負レンズのＣ線とｔ線に対する異常分散性を規定したものである。第２レンズ群が少なくとも１枚の負レンズを含み構成されていることを前提に、条件式（１７）を満足することにより、第２レンズ群においても、Ｃ線からｔ線までの長波長域の光に対する色収差を良好に補正することができ、より光学性能を向上させることが可能になる。
【０１３３】
なお、上記条件式（１７）は、次に示す範囲を満足すると、より好ましい効果が期待できる。
（１７ａ）  ０．００１≦ＰＣｔ２ｎ−（０．５４６＋０．００４７×νｄ２ｎ）
【０１３４】
また、上記条件式（１７ａ）は、次に示す範囲を満足すると、さらに好ましい効果が期待できる。
（１７ｂ）  ０．００２≦ＰＣｔ２ｎ−（０．５４６＋０．００４７×νｄ２ｎ）
【０１３５】
また、本発明にかかるズームレンズにおいて、第４レンズ群は少なくとも１枚の負レンズを含み構成され、第４レンズ群に含まれる、負レンズのＣ線とｔ線に対する部分分散比をＰＣｔ４ｎ、第４レンズ群に含まれる、負レンズのｄ線に対するアッベ数をνｄ４ｎとするとき、次の条件式を満足することが好ましい。
（１８）  ０．０００≦ＰＣｔ４ｎ−（０．５４６＋０．００４７×νｄ４ｎ）
【０１３６】
条件式（１８）は、第４レンズ群に含まれる、負レンズのＣ線とｔ線に対する異常分散性を規定したものである。第４レンズ群が少なくとも１枚の負レンズを含み構成されていることを前提に、条件式（１８）を満足することにより、第４レンズ群においても、Ｃ線からｔ線までの長波長域の光に対する色収差を良好に補正することができ、より光学性能を向上させることが可能になる。
【０１３７】
なお、上記条件式（１８）は、次に示す範囲を満足すると、より好ましい効果が期待できる。
（１８ａ）  ０．００３≦ＰＣｔ４ｎ−（０．５４６＋０．００４７×νｄ４ｎ）
【０１３８】
また、上記条件式（１８ａ）は、次に示す範囲を満足すると、さらに好ましい効果が期待できる。
（１８ｂ）  ０．０１０≦ＰＣｔ４ｎ−（０．５４６＋０．００４７×νｄ４ｎ）
【０１３９】
また、本発明にかかるズームレンズにおいて、第３レンズ群を３枚の屈折力を有するレンズで構成する場合は、２枚の正レンズと１枚の負レンズとによって構成することが好ましい。加えて、この場合、当該第３レンズ群に含まれる、２枚の正レンズのｄ線に対するアッベ数の平均値をνｄ３Ｐ＿ａｖｅとするとき、次の条件式を満足することが好ましい。
（１９）  ６０≦νｄ３Ｐ＿ａｖｅ
【０１４０】
条件式（１９）は、第３レンズ群に含まれる、２枚の正レンズのｄ線に対するアッベ数の平均値を規定するものである。第３レンズ群が２枚の正レンズを含み構成されていることを前提に、条件式（１９）を満足することにより、可視光域から近赤外域までの広範な波長の光に対して発生する色収差の補正が十分にできるとともに、正レンズ２枚による球面収差や像面湾曲の補正効果も大きくなり、より光学性能の向上を図ることができる。
【０１４１】
さらに、本発明にかかるズームレンズでは、第２レンズ群と第３レンズ群との間に開口絞りを配置し、第２レンズ群を光軸に沿って移動させることにより広角端から望遠端への変倍を行い、第４レンズ群を光軸に沿って移動させることにより、変倍に伴う像面変動を補正し、無限遠物体合焦状態から最至近距離物体合焦状態までのフォーカシングを行うことが好ましい。
【０１４２】
開口絞りを、負の屈折力を有する第２レンズ群と正の屈折力を有する第３レンズ群との間に配置することで、周辺光量を確保しながら絞り径を小さくすることができ、光学系の小径化を図ることが可能になる。また、第４レンズ群に変倍時の像面湾曲補正機能と、物体距離変化に伴う焦点位置を調節する機能をもたせることで、変倍に伴う像面湾曲補正と合焦に伴う収差変動を効率的に実行することが可能になる。
【０１４３】
以上説明したように、本発明によれば、上記構成を備えることにより、簡易な構成でありながら、可視光域から近赤外域までの広範な波長の光に対して発生する諸収差を全変倍域に亘って良好に補正することが可能な、高い光学性能を備えたズームレンズを実現することができる。さらに、高い光学性能を備えた、大口径、高倍率のズームレンズを実現することができる。
【０１４４】
このような特徴を備えた本発明にかかるズームレンズは、主に可視光域の光を用いる写真用のカメラはもとより、夜間撮影も行うや監視カメラ等、様々な撮像装置に用いることができる。特に、高画素、高感度化が進んだ撮像素子を備えた撮像装置に好適である。
【０１４５】
以下、本発明にかかるズームレンズの実施例を図面に基づき詳細に説明する。なお、以下の実施例により本発明が限定されるものではない。
【実施例１】
【０１４６】
図２は、実施例１にかかるズームレンズの構成を示す光軸に沿う断面図である。このズームレンズは、図示しない物体側から順に、正の屈折力を有する第１レンズ群Ｇ11と、負の屈折力を有する第２レンズ群Ｇ12と、正の屈折力を有する第３レンズ群Ｇ13と、正の屈折力を有する第４レンズ群Ｇ14と、が配置されて構成される。第２レンズ群Ｇ12と第３レンズ群Ｇ13との間には、所定の口径を規定する開口絞りＳＴＰが配置される。第４レンズ群Ｇ14と結像面ＩＭＧとの間には、カバーガラスＣＧが配置される。
【０１４７】
第１レンズ群Ｇ11は、物体側から順に、負レンズＬ111と、正レンズＬ112と、正レンズＬ113と、が配置されて構成される。負レンズＬ111と正レンズＬ112とは、接合されている。
【０１４８】
第２レンズ群Ｇ12は、物体側から順に、負レンズＬ121と、負レンズＬ122と、正レンズＬ123と、が配置されて構成される。負レンズＬ122と正レンズＬ123とは、接合されている。
【０１４９】
第３レンズ群Ｇ13は、物体側から順に、正レンズＬ131と、負レンズＬ132と、が配置されて構成される。正レンズＬ131の物体側面には、非球面が形成されている。正レンズＬ131と、負レンズＬ132とは、接合されている。また、正レンズＬ131の物体側の面および負レンズＬ132の結像面ＩＭＧ側の面は、ともに結像面ＩＭＧ側に凹形状を呈している。
【０１５０】
第４レンズ群Ｇ14は、物体側から順に、正レンズＬ141と、負レンズＬ142と、正レンズＬ143と、が配置されて構成される。正レンズＬ141の物体側面は、物体側に凸形状を呈している。また、正レンズＬ141の両面には、非球面が形成されている。負レンズＬ142と、正レンズＬ143とは、接合されている。
【０１５１】
このズームレンズは、第２レンズ群Ｇ12を光軸に沿って物体側から結像面ＩＭＧへ移動させて、広角端から望遠端への変倍を行う。また、第４レンズ群Ｇ14を光軸に沿って物体側に緩い凸の軌跡を形成するように移動させて、変倍に伴う結像面ＩＭＧの位置の補正を行うとともに、無限遠物体合焦状態から最至近距離物体合焦状態までのフォーカシングを行う。なお、第１レンズ群Ｇ11および第３レンズ群Ｇ13は、変倍に際して固定される。
【０１５２】
以下、実施例１にかかるズームレンズに関する各種数値データを示す。
【０１５３】
ズームレンズ全系の焦点距離＝5.13（広角端：ｆｗ）〜15.37（中間焦点位置：ｆｍ）〜48.71（望遠端：ｆｔ）（無限遠物体合焦状態）
Ｆナンバー（ＦＮＯ）＝1.65（広角端）〜2.13（望遠端）
半画角（ω）＝34.12（広角端）〜3.71（望遠端）
第１レンズ群Ｇ11の焦点距離（ｆ１）＝46.47
第２レンズ群Ｇ12の焦点距離（ｆ２）＝-8.62
第３レンズ群Ｇ13の焦点距離（ｆ３）＝58.36
第４レンズ群Ｇ14の焦点距離（ｆ４）＝17.11
変倍比（ｆｔ／ｆｗ）＝9.50
【０１５４】
（レンズデータ）
ｒ1＝50.846
ｄ1＝0.80    ｎｄ1＝1.84666    νｄ1＝23.78
ｒ2＝33.946
ｄ2＝6.05    ｎｄ2＝1.49700    νｄ2＝81.61
ｒ3＝-239.434
ｄ3＝0.15
ｒ4＝30.018
ｄ4＝3.49    ｎｄ3＝1.61800    νｄ3＝63.40
ｒ5＝82.319
ｄ5＝D(5)（可変）
ｒ6＝1045.056
ｄ6＝0.50    ｎｄ4＝1.88300    νｄ4＝40.81
ｒ7＝7.833
ｄ7＝3.60
ｒ8＝-19.233
ｄ8＝0.50    ｎｄ5＝1.70154    νｄ5＝41.15
ｒ9＝9.831
ｄ9＝2.86    ｎｄ6＝1.99820    νｄ6＝25.46
ｒ10＝-496.230
ｄ10＝D(10)（可変）
ｒ11＝∞（開口絞り）
ｄ11＝2.00
ｒ12＝13.626（非球面）
ｄ12＝5.20    ｎｄ7＝1.55332    νｄ7＝71.68
ｒ13＝-11.776
ｄ13＝0.50    ｎｄ8＝1.51680    νｄ8＝64.20
ｒ14＝16.788
ｄ14＝D(14)（可変）
ｒ15＝9.996（非球面）
ｄ15＝4.15    ｎｄ9＝1.55332    νｄ9＝71.68
ｒ16＝-43.275（非球面）
ｄ16＝0.15
ｒ17＝53.770
ｄ17＝0.50    ｎｄ10＝1.80611    νｄ10＝40.73
ｒ18＝7.242
ｄ18＝4.22    ｎｄ11＝1.49700    νｄ11＝81.61
ｒ19＝-23.753
ｄ19＝D(19)（可変）
ｒ20＝∞
ｄ20＝1.50    ｎｄ12＝1.51633    νｄ12＝64.14
ｒ21＝∞
ｄ21＝2.00
ｒ22＝∞（結像面）
【０１５５】
円錐係数（ｋ）および非球面係数（Ａ，Ｂ，Ｃ，Ｄ）
（第１２面）
ｋ＝0，
Ａ＝-4.84883×10-5，Ｂ＝-5.09665×10-7，
Ｃ＝5.63534×10-9，Ｄ＝-8.22112×10-11
（第１５面）
ｋ＝0，
Ａ＝-9.66794×10-5，Ｂ＝1.30986×10-7，
Ｃ＝-8.23698×10-9，Ｄ＝-3.50312×10-10
（第１６面）
ｋ＝0，
Ａ＝5.72542×10-5，Ｂ＝4.71267×10-7，
Ｃ＝-3.65165×10-8，Ｄ＝1.04525×10-10
【０１５６】
（変倍データ）
広角端    望遠端
D(5)          1.20     27.27
D(10)        29.05      2.98
D(14)         8.98      4.27
D(19)        10.96     15.67
【０１５７】
（条件式（１）に関する数値）
｜ＰＣｔ３ｐ−ＰＣｔ３ｎ｜＝0.0518
ＰＣｔ３ｐ（第３レンズ群Ｇ13に含まれる、正レンズＬ131のＣ線とｔ線に対する部分分散比）＝0.8164
ＰＣｔ３ｎ（第３レンズ群Ｇ13に含まれる、負レンズＬ132のＣ線とｔ線に対する部分分散比）＝0.8682
【０１５８】
（条件式（２）に関する数値）
νｄ３ｐ＝71.68
νｄ３ｐ：第３レンズ群Ｇ13に含まれる、正レンズＬ131のｄ線に対するアッベ数
【０１５９】
（条件式（３）に関する数値）
νｄ３ｎ＝64.20
νｄ３ｎ：第３レンズ群Ｇ13に含まれる、負レンズＬ132のｄ線に対するアッベ数
【０１６０】
（条件式（４）に関する数値）
｜ＰｇＦ３ｐ−ＰｇＦ３ｎ｜＝0.0059
ＰｇＦ３ｐ（第３レンズ群Ｇ13に含まれる、正レンズＬ131のｇ線とＦ線に対する部分分散比）＝0.5402
ＰｇＦ３ｎ（第３レンズ群Ｇ13に含まれる、負レンズＬ132のｇ線とＦ線に対する部分分散比）＝0.5343
【０１６１】
（条件式（５）に関する数値）
ＰＣｔ３ｎ−（０．５４６＋０．００４７×νｄ３ｎ）＝0.0205
【０１６２】
（条件式（６）に関する数値）
ｆ３／ｆｗ＝11.39
【０１６３】
（条件式（７）に関する数値）
ｆ１／ｆｔ＝0.95
【０１６４】
（条件式（８）に関する数値）
ｆ３／ｆｔ＝1.20
【０１６５】
（条件式（９）に関する数値）
νｄ４Ｐ＿ａｖｅ＝76.65
νｄ４Ｐ＿ａｖｅ：第４レンズ群Ｇ14に含まれる、正レンズＬ141，Ｌ143のｄ線に対するアッベ数の平均値
【０１６６】
（条件式（１０）に関する数値）
νｄ１ｎ＝23.78
νｄ１ｎ：第１レンズ群Ｇ11に含まれる、負レンズＬ111のｄ線に対するアッベ数
【０１６７】
（条件式（１１）に関する数値）
νｄ１ｐ＝81.61
νｄ１ｐ：第１レンズ群Ｇ11に含まれる、正レンズＬ112のｄ線に対するアッベ数
【０１６８】
（条件式（１２）に関する数値）
νｄ２ｐ＝25.46
νｄ２ｐ：第２レンズ群Ｇ12に含まれる、正レンズＬ123のｄ線に対するアッベ数
【０１６９】
（条件式（１３）に関する数値）
ｆ１／ｆｗ＝9.07
【０１７０】
（条件式（１４）に関する数値）
｜ｆ３／ｆ２｜＝6.77
【０１７１】
（条件式（１５）に関する数値）
ｆ３／ｆ４＝3.41
【０１７２】
（条件式（１６）に関する数値）
ＰＣｔ１ｎ−（０．５４６＋０．００４７×νｄ１ｎ）＝0.0022
ＰＣｔ１ｎ（第１レンズ群Ｇ11に含まれる、負レンズＬ111のＣ線とｔ線に対する部分分散比）＝0.6600
【０１７３】
（条件式（１７）に関する数値）
ＰＣｔ２ｎ−（０．５４６＋０．００４７×νｄ２ｎ）＝0.0003
ＰＣｔ２ｎ（第２レンズ群Ｇ12に含まれる、負レンズＬ121のＣ線とｔ線に対する部分分散比）＝0.7381
νｄ２ｎ＝40.81
νｄ２ｎ：第２レンズ群Ｇ12に含まれる、負レンズＬ121のｄ線に対するアッベ数
【０１７４】
（条件式（１８）に関する数値）
ＰＣｔ４ｎ−（０．５４６＋０．００４７×νｄ４ｎ）＝0.0090
ＰＣｔ４ｎ（第４レンズ群Ｇ14に含まれる、負レンズＬ142のＣ線とｔ線に対する部分分散比）＝0.7464
νｄ４ｎ＝40.73
νｄ４ｎ：第４レンズ群Ｇ14に含まれる、負レンズＬ142のｄ線に対するアッベ数
【０１７５】
図３は、実施例１にかかるズームレンズの諸収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＩＲ線（λ＝８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例２】
【０１７６】
図４は、実施例２にかかるズームレンズの構成を示す光軸に沿う断面図である。このズームレンズは、図示しない物体側から順に、正の屈折力を有する第１レンズ群Ｇ21と、負の屈折力を有する第２レンズ群Ｇ22と、正の屈折力を有する第３レンズ群Ｇ23と、正の屈折力を有する第４レンズ群Ｇ24と、が配置されて構成される。第２レンズ群Ｇ22と第３レンズ群Ｇ23との間には、所定の口径を規定する開口絞りＳＴＰが配置される。第４レンズ群Ｇ24と結像面ＩＭＧとの間には、カバーガラスＣＧが配置される。
【０１７７】
第１レンズ群Ｇ21は、物体側から順に、負レンズＬ211と、正レンズＬ212と、正レンズＬ213と、が配置されて構成される。負レンズＬ211と正レンズＬ212とは、接合されている。
【０１７８】
第２レンズ群Ｇ22は、物体側から順に、負レンズＬ221と、負レンズＬ222と、正レンズＬ223と、が配置されて構成される。負レンズＬ222と正レンズＬ223とは、接合されている。
【０１７９】
第３レンズ群Ｇ23は、物体側から順に、正レンズＬ231と、負レンズＬ232と、が配置されて構成される。正レンズＬ231の物体側面には、非球面が形成されている。また、正レンズＬ231の物体側の面および負レンズＬ232の結像面ＩＭＧ側の面は、ともに結像面ＩＭＧ側に凹形状を呈している。
【０１８０】
第４レンズ群Ｇ24は、物体側から順に、正レンズＬ241と、負レンズＬ242と、正レンズＬ243と、が配置されて構成される。正レンズＬ241の物体側面は、物体側に凸形状を呈している。また、正レンズＬ241の両面には、非球面が形成されている。負レンズＬ242と、正レンズＬ243とは、接合されている。
【０１８１】
このズームレンズは、第２レンズ群Ｇ22を光軸に沿って物体側から結像面ＩＭＧへ移動させて、広角端から望遠端への変倍を行う。また、第４レンズ群Ｇ24を光軸に沿って物体側に緩い凸の軌跡を形成するように移動させて、変倍に伴う結像面ＩＭＧの位置の補正を行うとともに、無限遠物体合焦状態から最至近距離物体合焦状態までのフォーカシングを行う。なお、第１レンズ群Ｇ21および第３レンズ群Ｇ23は、変倍に際して固定される。
【０１８２】
以下、実施例２にかかるズームレンズに関する各種数値データを示す。
【０１８３】
ズームレンズ全系の焦点距離＝5.03（広角端：ｆｗ）〜15.34（中間焦点位置：ｆｍ）〜48.60（望遠端：ｆｔ）（無限遠物体合焦状態）
Ｆナンバー（ＦＮＯ）＝1.44（広角端）〜1.82（望遠端）
半画角（ω）＝34.48（広角端）〜3.72（望遠端）
第１レンズ群Ｇ21の焦点距離（ｆ１）＝46.84
第２レンズ群Ｇ22の焦点距離（ｆ２）＝-8.52
第３レンズ群Ｇ23の焦点距離（ｆ３）＝52.25
第４レンズ群Ｇ24の焦点距離（ｆ４）＝16.97
変倍比（ｆｔ／ｆｗ）＝9.66
【０１８４】
（レンズデータ）
ｒ1＝49.874
ｄ1＝0.80    ｎｄ1＝1.84666    νｄ1＝23.78
ｒ2＝33.773
ｄ2＝6.02    ｎｄ2＝1.49700    νｄ2＝81.61
ｒ3＝-229.862
ｄ3＝0.15
ｒ4＝30.167
ｄ4＝3.37    ｎｄ3＝1.61800    νｄ3＝63.40
ｒ5＝77.761
ｄ5＝D(5)（可変）
ｒ6＝517.661
ｄ6＝0.50    ｎｄ4＝1.88300    νｄ4＝40.81
ｒ7＝8.055
ｄ7＝3.53
ｒ8＝-18.643
ｄ8＝0.50    ｎｄ5＝1.70154    νｄ5＝41.15
ｒ9＝10.282
ｄ9＝3.50    ｎｄ6＝1.99820    νｄ6＝25.46
ｒ10＝-1897.293
ｄ10＝D(10)（可変）
ｒ11＝∞（開口絞り）
ｄ11＝1.37
ｒ12＝14.503（非球面）
ｄ12＝6.32    ｎｄ7＝1.55332    νｄ7＝71.68
ｒ13＝-13.755
ｄ13＝0.20
ｒ14＝-13.345
ｄ14＝0.50    ｎｄ8＝1.51680    νｄ8＝64.20
ｒ15＝20.261
ｄ15＝D(15)（可変）
ｒ16＝10.736（非球面）
ｄ16＝4.15    ｎｄ9＝1.55332    νｄ9＝71.68
ｒ17＝-61.936（非球面）
ｄ17＝0.15
ｒ18＝57.953
ｄ18＝0.50    ｎｄ10＝1.80611    νｄ10＝40.73
ｒ19＝8.199
ｄ19＝5.00    ｎｄ11＝1.49700    νｄ11＝81.61
ｒ20＝-18.086
ｄ20＝D(20)（可変）
ｒ21＝∞
ｄ21＝1.50    ｎｄ12＝1.51633    νｄ12＝64.14
ｒ22＝∞
ｄ22＝2.00
ｒ23＝∞（結像面）
【０１８５】
円錐係数（ｋ）および非球面係数（Ａ，Ｂ，Ｃ，Ｄ）
（第１２面）
ｋ＝0，
Ａ＝-3.61611×10-5，Ｂ＝-4.45359×10-7，
Ｃ＝5.41422×10-9，Ｄ＝-6.68794×10-11
（第１６面）
ｋ＝0，
Ａ＝-9.10167×10-5，Ｂ＝2.69194×10-7，
Ｃ＝-4.22572×10-9，Ｄ＝-2.68226×10-10
（第１７面）
ｋ＝0，
Ａ＝6.68522×10-5，Ｂ＝7.56064×10-7，
Ｃ＝-3.46899×10-8，Ｄ＝8.43070×10-11
【０１８６】
（変倍データ）
広角端    望遠端
D(5)          1.20     27.67
D(10)        29.42      2.99
D(15)         8.71      3.82
D(20)        10.42     15.32
【０１８７】
（条件式（１）に関する数値）
｜ＰＣｔ３ｐ−ＰＣｔ３ｎ｜＝0.0518
ＰＣｔ３ｐ（第３レンズ群Ｇ23に含まれる、正レンズＬ231のＣ線とｔ線に対する部分分散比）＝0.8164
ＰＣｔ３ｎ（第３レンズ群Ｇ23に含まれる、負レンズＬ232のＣ線とｔ線に対する部分分散比）＝0.8682
【０１８８】
（条件式（２）に関する数値）
νｄ３ｐ＝71.68
νｄ３ｐ：第３レンズ群Ｇ23に含まれる、正レンズＬ231のｄ線に対するアッベ数
【０１８９】
（条件式（３）に関する数値）
νｄ３ｎ＝64.20
νｄ３ｎ：第３レンズ群Ｇ23に含まれる、負レンズＬ232のｄ線に対するアッベ数
【０１９０】
（条件式（４）に関する数値）
｜ＰｇＦ３ｐ−ＰｇＦ３ｎ｜＝0.0059
ＰｇＦ３ｐ（第３レンズ群Ｇ23に含まれる、正レンズＬ231のｇ線とＦ線に対する部分分散比）＝0.5402
ＰｇＦ３ｎ（第３レンズ群Ｇ23に含まれる、負レンズＬ232のｇ線とＦ線に対する部分分散比）＝0.5343
【０１９１】
（条件式（５）に関する数値）
ＰＣｔ３ｎ−（０．５４６＋０．００４７×νｄ３ｎ）＝0.0205
【０１９２】
（条件式（６）に関する数値）
ｆ３／ｆｗ＝10.38
【０１９３】
（条件式（７）に関する数値）
ｆ１／ｆｔ＝0.96
【０１９４】
（条件式（８）に関する数値）
ｆ３／ｆｔ＝1.08
【０１９５】
（条件式（９）に関する数値）
νｄ４Ｐ＿ａｖｅ＝76.65
νｄ４Ｐ＿ａｖｅ：第４レンズ群Ｇ24に含まれる、正レンズＬ241，Ｌ243のｄ線に対するアッベ数の平均値
【０１９６】
（条件式（１０）に関する数値）
νｄ１ｎ＝23.78
νｄ１ｎ：第１レンズ群Ｇ21に含まれる、負レンズＬ211のｄ線に対するアッベ数
【０１９７】
（条件式（１１）に関する数値）
νｄ１ｐ＝81.61
νｄ１ｐ：第１レンズ群Ｇ21に含まれる、正レンズＬ212のｄ線に対するアッベ数
【０１９８】
（条件式（１２）に関する数値）
νｄ２ｐ＝25.46
νｄ２ｐ：第２レンズ群Ｇ22に含まれる、正レンズＬ223のｄ線に対するアッベ数
【０１９９】
（条件式（１３）に関する数値）
ｆ１／ｆｗ＝9.31
【０２００】
（条件式（１４）に関する数値）
｜ｆ３／ｆ２｜＝6.13
【０２０１】
（条件式（１５）に関する数値）
ｆ３／ｆ４＝3.08
【０２０２】
（条件式（１６）に関する数値）
ＰＣｔ１ｎ−（０．５４６＋０．００４７×νｄ１ｎ）＝0.0022
ＰＣｔ１ｎ（第１レンズ群Ｇ21に含まれる、負レンズＬ211のＣ線とｔ線に対する部分分散比）＝0.6600
【０２０３】
（条件式（１７）に関する数値）
ＰＣｔ２ｎ−（０．５４６＋０．００４７×νｄ２ｎ）＝0.0003
ＰＣｔ２ｎ（第２レンズ群Ｇ22に含まれる、負レンズＬ221のＣ線とｔ線に対する部分分散比）＝0.7381
νｄ２ｎ＝40.81
νｄ２ｎ：第２レンズ群Ｇ22に含まれる、負レンズＬ221のｄ線に対するアッベ数
【０２０４】
（条件式（１８）に関する数値）
ＰＣｔ４ｎ−（０．５４６＋０．００４７×νｄ４ｎ）＝0.0090
ＰＣｔ４ｎ（第４レンズ群Ｇ24に含まれる、負レンズＬ242のＣ線とｔ線に対する部分分散比）＝0.7464
νｄ４ｎ＝40.73
νｄ４ｎ：第４レンズ群Ｇ24に含まれる、負レンズＬ242のｄ線に対するアッベ数
【０２０５】
図５は、実施例２にかかるズームレンズの諸収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＩＲ線（λ＝８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例３】
【０２０６】
図６は、実施例３にかかるズームレンズの構成を示す光軸に沿う断面図である。このズームレンズは、図示しない物体側から順に、正の屈折力を有する第１レンズ群Ｇ31と、負の屈折力を有する第２レンズ群Ｇ32と、正の屈折力を有する第３レンズ群Ｇ33と、正の屈折力を有する第４レンズ群Ｇ34と、が配置されて構成される。第２レンズ群Ｇ32と第３レンズ群Ｇ33との間には、所定の口径を規定する開口絞りＳＴＰが配置される。第４レンズ群Ｇ34と結像面ＩＭＧとの間には、カバーガラスＣＧが配置される。
【０２０７】
第１レンズ群Ｇ31は、物体側から順に、負レンズＬ311と、正レンズＬ312と、正レンズＬ313と、が配置されて構成される。負レンズＬ311と正レンズＬ312とは、接合されている。
【０２０８】
第２レンズ群Ｇ32は、物体側から順に、負レンズＬ321と、負レンズＬ322と、正レンズＬ323と、が配置されて構成される。負レンズＬ322と正レンズＬ323とは、接合されている。
【０２０９】
第３レンズ群Ｇ33は、物体側から順に、負レンズＬ331と、正レンズＬ332と、が配置されて構成される。負レンズＬ331の物体側面には、非球面が形成されている。負レンズＬ331と、正レンズＬ332とは、接合されている。また、負レンズＬ331の物体側の面および正レンズＬ332の結像面ＩＭＧ側の面は、ともに結像面ＩＭＧ側に凹形状を呈している。
【０２１０】
第４レンズ群Ｇ34は、物体側から順に、正レンズＬ341と、負レンズＬ342と、正レンズＬ343と、が配置されて構成される。正レンズＬ341の物体側面は、物体側に凸形状を呈している。また、正レンズＬ341の両面には、非球面が形成されている。負レンズＬ342と、正レンズＬ343とは、接合されている。
【０２１１】
このズームレンズは、第２レンズ群Ｇ32を光軸に沿って物体側から結像面ＩＭＧへ移動させて、広角端から望遠端への変倍を行う。また、第４レンズ群Ｇ34を光軸に沿って物体側に緩い凸の軌跡を形成するように移動させて、変倍に伴う結像面ＩＭＧの位置の補正を行うとともに、無限遠物体合焦状態から最至近距離物体合焦状態までのフォーカシングを行う。なお、第１レンズ群Ｇ31および第３レンズ群Ｇ33は、変倍に際して固定される。
【０２１２】
以下、実施例３にかかるズームレンズに関する各種数値データを示す。
【０２１３】
ズームレンズ全系の焦点距離＝5.13（広角端：ｆｗ）〜15.35（中間焦点位置：ｆｍ）〜48.64（望遠端：ｆｔ）（無限遠物体合焦状態）
Ｆナンバー（ＦＮＯ）＝1.54（広角端）〜2.01（望遠端）
半画角（ω）＝36.21（広角端）〜3.72（望遠端）
第１レンズ群Ｇ31の焦点距離（ｆ１）＝49.27
第２レンズ群Ｇ32の焦点距離（ｆ２）＝-8.92
第３レンズ群Ｇ33の焦点距離（ｆ３）＝69.07
第４レンズ群Ｇ34の焦点距離（ｆ４）＝16.99
変倍比（ｆｔ／ｆｗ）＝9.48
【０２１４】
（レンズデータ）
ｒ1＝42.456
ｄ1＝0.85    ｎｄ1＝1.84666    νｄ1＝23.78
ｒ2＝29.831
ｄ2＝5.23    ｎｄ2＝1.49700    νｄ2＝81.61
ｒ3＝615.020
ｄ3＝0.15
ｒ4＝34.955
ｄ4＝3.19    ｎｄ3＝1.62041    νｄ3＝60.34
ｒ5＝140.216
ｄ5＝D(5)（可変）
ｒ6＝-119.530
ｄ6＝0.50    ｎｄ4＝1.88300    νｄ4＝40.81
ｒ7＝8.910
ｄ7＝3.27
ｒ8＝-21.329
ｄ8＝0.50    ｎｄ5＝1.51680    νｄ5＝64.20
ｒ9＝11.252
ｄ9＝2.32    ｎｄ6＝1.99820    νｄ6＝25.46
ｒ10＝45.740
ｄ10＝D(10)（可変）
ｒ11＝∞（開口絞り）
ｄ11＝1.24
ｒ12＝18.442（非球面）
ｄ12＝0.50    ｎｄ7＝1.62263    νｄ7＝58.16
ｒ13＝8.088
ｄ13＝4.35    ｎｄ8＝1.59282    νｄ8＝68.62
ｒ14＝39.648
ｄ14＝D(14)（可変）
ｒ15＝9.159（非球面）
ｄ15＝4.62    ｎｄ9＝1.55332    νｄ9＝71.68
ｒ16＝-30.307（非球面）
ｄ16＝0.15
ｒ17＝82.872
ｄ17＝0.40    ｎｄ10＝1.78590    νｄ10＝43.93
ｒ18＝7.000
ｄ18＝4.82    ｎｄ11＝1.43700    νｄ11＝95.10
ｒ19＝-20.959
ｄ19＝D(19)（可変）
ｒ20＝∞
ｄ20＝1.50    ｎｄ12＝1.51633    νｄ12＝64.14
ｒ21＝∞
ｄ21＝2.00
ｒ22＝∞（結像面）
【０２１５】
円錐係数（ｋ）および非球面係数（Ａ，Ｂ，Ｃ，Ｄ）
（第１２面）
ｋ＝0，
Ａ＝-1.32369×10-5，Ｂ＝-2.25725×10-7，
Ｃ＝2.46216×10-9，Ｄ＝-1.15258×10-11
（第１５面）
ｋ＝0，
Ａ＝-1.15008×10-4，Ｂ＝3.18464×10-7，
Ｃ＝-1.54757×10-8，Ｄ＝-9.15813×10-11
（第１６面）
ｋ＝0，
Ａ＝1.01383×10-4，Ｂ＝1.13963×10-6，
Ｃ＝-4.64174×10-8，Ｄ＝4.33423×10-10
【０２１６】
（変倍データ）
広角端    望遠端
D(5)          1.28     28.18
D(10)        30.16      3.25
D(14)         9.79      4.29
D(19)        10.17     15.67
【０２１７】
（条件式（１）に関する数値）
｜ＰＣｔ３ｐ−ＰＣｔ３ｎ｜＝0.0504
ＰＣｔ３ｐ（第３レンズ群Ｇ33に含まれる、正レンズＬ332のＣ線とｔ線に対する部分分散比）＝0.7960
ＰＣｔ３ｎ（第３レンズ群Ｇ33に含まれる、負レンズＬ331のＣ線とｔ線に対する部分分散比）＝0.8464
【０２１８】
（条件式（２）に関する数値）
νｄ３ｐ＝68.62
νｄ３ｐ：第３レンズ群Ｇ33に含まれる、正レンズＬ332のｄ線に対するアッベ数
【０２１９】
（条件式（３）に関する数値）
νｄ３ｎ＝58.16
νｄ３ｎ：第３レンズ群Ｇ33に含まれる、負レンズＬ331のｄ線に対するアッベ数
【０２２０】
（条件式（４）に関する数値）
｜ＰｇＦ３ｐ−ＰｇＦ３ｎ｜＝0.0051
ＰｇＦ３ｐ（第３レンズ群Ｇ33に含まれる、正レンズＬ332のｇ線とＦ線に対する部分分散比）＝0.5441
ＰｇＦ３ｎ（第３レンズ群Ｇ33に含まれる、負レンズＬ331のｇ線とＦ線に対する部分分散比）＝0.5390
【０２２１】
（条件式（５）に関する数値）
ＰＣｔ３ｎ−（０．５４６＋０．００４７×νｄ３ｎ）＝0.0270
【０２２２】
（条件式（６）に関する数値）
ｆ３／ｆｗ＝13.46
【０２２３】
（条件式（７）に関する数値）
ｆ１／ｆｔ＝1.01
【０２２４】
（条件式（８）に関する数値）
ｆ３／ｆｔ＝1.42
【０２２５】
（条件式（９）に関する数値）
νｄ４Ｐ＿ａｖｅ＝83.39
νｄ４Ｐ＿ａｖｅ：第４レンズ群Ｇ34に含まれる、正レンズＬ341，Ｌ343のｄ線に対するアッベ数の平均値
【０２２６】
（条件式（１０）に関する数値）
νｄ１ｎ＝23.78
νｄ１ｎ：第１レンズ群Ｇ31に含まれる、負レンズＬ311のｄ線に対するアッベ数
【０２２７】
（条件式（１１）に関する数値）
νｄ１ｐ＝81.61
νｄ１ｐ：第１レンズ群Ｇ31に含まれる、正レンズＬ312のｄ線に対するアッベ数
【０２２８】
（条件式（１２）に関する数値）
νｄ２ｐ＝25.46
νｄ２ｐ：第２レンズ群Ｇ32に含まれる、正レンズＬ323のｄ線に対するアッベ数
【０２２９】
（条件式（１３）に関する数値）
ｆ１／ｆｗ＝9.60
【０２３０】
（条件式（１４）に関する数値）
｜ｆ３／ｆ２｜＝7.75
【０２３１】
（条件式（１５）に関する数値）
ｆ３／ｆ４＝4.07
【０２３２】
（条件式（１６）に関する数値）
ＰＣｔ１ｎ−（０．５４６＋０．００４７×νｄ１ｎ）＝0.0022
ＰＣｔ１ｎ（第１レンズ群Ｇ31に含まれる、負レンズＬ311のＣ線とｔ線に対する部分分散比）＝0.6600
【０２３３】
（条件式（１７）に関する数値）
ＰＣｔ２ｎ−（０．５４６＋０．００４７×νｄ２ｎ）＝0.0205
ＰＣｔ２ｎ（第２レンズ群Ｇ32に含まれる、負レンズＬ322のＣ線とｔ線に対する部分分散比）＝0.8682
νｄ２ｎ＝64.20
νｄ２ｎ：第２レンズ群Ｇ32に含まれる、負レンズＬ322のｄ線に対するアッベ数
【０２３４】
（条件式（１９）に関する数値）
ＰＣｔ４ｎ−（０．５４６＋０．００４７×νｄ４ｎ）＝0.0107
ＰＣｔ４ｎ（第４レンズ群Ｇ34に含まれる、負レンズＬ342のＣ線とｔ線に対する部分分散比）＝0.7632
νｄ４ｎ＝43.93
νｄ４ｎ：第４レンズ群Ｇ34に含まれる、負レンズＬ342のｄ線に対するアッベ数
【０２３５】
図７は、実施例３にかかるズームレンズの諸収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＩＲ線（λ＝８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例４】
【０２３６】
図８は、実施例４にかかるズームレンズの構成を示す光軸に沿う断面図である。このズームレンズは、図示しない物体側から順に、正の屈折力を有する第１レンズ群Ｇ41と、負の屈折力を有する第２レンズ群Ｇ42と、正の屈折力を有する第３レンズ群Ｇ43と、正の屈折力を有する第４レンズ群Ｇ44と、が配置されて構成される。第２レンズ群Ｇ42と第３レンズ群Ｇ43との間には、所定の口径を規定する開口絞りＳＴＰが配置される。第４レンズ群Ｇ44と結像面ＩＭＧとの間には、カバーガラスＣＧが配置される。
【０２３７】
第１レンズ群Ｇ41は、物体側から順に、負レンズＬ411と、正レンズＬ412と、正レンズＬ413と、が配置されて構成される。負レンズＬ411と正レンズＬ412とは、接合されている。
【０２３８】
第２レンズ群Ｇ42は、物体側から順に、負レンズＬ421と、負レンズＬ422と、正レンズＬ423と、が配置されて構成される。負レンズＬ422と正レンズＬ423とは、接合されている。
【０２３９】
第３レンズ群Ｇ43は、物体側から順に、負レンズＬ431と、正レンズＬ432と、が配置されて構成される。負レンズＬ431の物体側面には、非球面が形成されている。負レンズＬ431と、正レンズＬ432とは、接合されている。また、負レンズＬ431の物体側の面および正レンズＬ432の結像面ＩＭＧ側の面は、ともに結像面ＩＭＧ側に凹形状を呈している。
【０２４０】
第４レンズ群Ｇ44は、物体側から順に、正レンズＬ441と、負レンズＬ442と、正レンズＬ443と、が配置されて構成される。正レンズＬ441の物体側面は、物体側に凸形状を呈している。また、正レンズＬ441の両面には、非球面が形成されている。負レンズＬ442と、正レンズＬ443とは、接合されている。
【０２４１】
このズームレンズは、第２レンズ群Ｇ42を光軸に沿って物体側から結像面ＩＭＧへ移動させて、広角端から望遠端への変倍を行う。また、第４レンズ群Ｇ44を光軸に沿って物体側に緩い凸の軌跡を形成するように移動させて、変倍に伴う結像面ＩＭＧの位置の補正を行うとともに、無限遠物体合焦状態から最至近距離物体合焦状態までのフォーカシングを行う。なお、第１レンズ群Ｇ41および第３レンズ群Ｇ43は、変倍に際して固定される。
【０２４２】
以下、実施例４にかかるズームレンズに関する各種数値データを示す。
【０２４３】
ズームレンズ全系の焦点距離＝5.02（広角端：ｆｗ）〜15.34（中間焦点位置：ｆｍ）〜51.34（望遠端：ｆｔ）（無限遠物体合焦状態）
Ｆナンバー（ＦＮＯ）＝1.65（広角端）〜2.09（望遠端）
半画角（ω）＝34.46（広角端）〜3.51（望遠端）
第１レンズ群Ｇ41の焦点距離（ｆ１）＝40.09
第２レンズ群Ｇ42の焦点距離（ｆ２）＝-6.95
第３レンズ群Ｇ43の焦点距離（ｆ３）＝47.80
第４レンズ群Ｇ44の焦点距離（ｆ４）＝18.57
変倍比（ｆｔ／ｆｗ）＝10.22
【０２４４】
（レンズデータ）
ｒ1＝43.000
ｄ1＝0.85    ｎｄ1＝1.84666    νｄ1＝23.78
ｒ2＝29.058
ｄ2＝6.58    ｎｄ2＝1.49700    νｄ2＝81.61
ｒ3＝-222.492
ｄ3＝0.15
ｒ4＝26.299
ｄ4＝3.53    ｎｄ3＝1.61800    νｄ3＝63.40
ｒ5＝73.807
ｄ5＝D(5)（可変）
ｒ6＝428.612
ｄ6＝0.50    ｎｄ4＝1.88300    νｄ4＝40.81
ｒ7＝6.899
ｄ7＝3.45
ｒ8＝-14.672
ｄ8＝0.50    ｎｄ5＝1.51680    νｄ5＝64.20
ｒ9＝9.710
ｄ9＝2.19    ｎｄ6＝1.99820    νｄ6＝25.46
ｒ10＝38.506
ｄ10＝D(10)（可変）
ｒ11＝∞（開口絞り）
ｄ11＝1.40
ｒ12＝20.168（非球面）
ｄ12＝0.50    ｎｄ7＝1.62263    νｄ7＝58.16
ｒ13＝7.409
ｄ13＝4.78    ｎｄ8＝1.59282    νｄ8＝68.62
ｒ14＝90.359
ｄ14＝D(14)（可変）
ｒ15＝9.606（非球面）
ｄ15＝4.43    ｎｄ9＝1.55332    νｄ9＝71.68
ｒ16＝-22.448（非球面）
ｄ16＝0.15
ｒ17＝1808.724
ｄ17＝0.40    ｎｄ10＝1.78590    νｄ10＝43.93
ｒ18＝7.598
ｄ18＝4.54    ｎｄ11＝1.43700    νｄ11＝95.10
ｒ19＝-23.931
ｄ19＝D(19)（可変）
ｒ20＝∞
ｄ20＝1.50    ｎｄ12＝1.51633    νｄ12＝64.14
ｒ21＝∞
ｄ21＝2.00
ｒ22＝∞（結像面）
【０２４５】
円錐係数（ｋ）および非球面係数（Ａ，Ｂ，Ｃ，Ｄ）
（第１２面）
ｋ＝0，
Ａ＝-9.22143×10-6，Ｂ＝-1.63062×10-7，
Ｃ＝-3.07614×10-9，Ｄ＝1.05036×10-10
（第１５面）
ｋ＝0，
Ａ＝-1.19715×10-4，Ｂ＝4.65380×10-7，
Ｃ＝-1.88595×10-8，Ｄ＝-2.57919×10-11
（第１６面）
ｋ＝0，
Ａ＝9.31434×10-5，Ｂ＝1.18074×10-6，
Ｃ＝-4.35353×10-8，Ｄ＝3.78806×10-10
【０２４６】
（変倍データ）
広角端    望遠端
D(5)          1.20     23.46
D(10)        25.51      3.25
D(14)        12.61      7.44
D(19)        11.23     16.40
【０２４７】
（条件式（１）に関する数値）
｜ＰＣｔ３ｐ−ＰＣｔ３ｎ｜＝0.0504
ＰＣｔ３ｐ（第３レンズ群Ｇ43に含まれる、正レンズＬ432のＣ線とｔ線に対する部分分散比）＝0.7960
ＰＣｔ３ｎ（第３レンズ群Ｇ43に含まれる、負レンズＬ431のＣ線とｔ線に対する部分分散比）＝0.8464
【０２４８】
（条件式（２）に関する数値）
νｄ３ｐ＝68.62
νｄ３ｐ：第３レンズ群Ｇ43に含まれる、正レンズＬ432のｄ線に対するアッベ数
【０２４９】
（条件式（３）に関する数値）
νｄ３ｎ＝58.16
νｄ３ｎ：第３レンズ群Ｇ43に含まれる、負レンズＬ431のｄ線に対するアッベ数
【０２５０】
（条件式（４）に関する数値）
｜ＰｇＦ３ｐ−ＰｇＦ３ｎ｜＝0.0051
ＰｇＦ３ｐ（第３レンズ群Ｇ43に含まれる、正レンズＬ432のｇ線とＦ線に対する部分分散比）＝0.5441
ＰｇＦ３ｎ（第３レンズ群Ｇ43に含まれる、負レンズＬ431のｇ線とＦ線に対する部分分散比）＝0.5390
【０２５１】
（条件式（５）に関する数値）
ＰＣｔ３ｎ−（０．５４６＋０．００４７×νｄ３ｎ）＝0.0270
【０２５２】
（条件式（６）に関する数値）
ｆ３／ｆｗ＝9.52
【０２５３】
（条件式（７）に関する数値）
ｆ１／ｆｔ＝0.78
【０２５４】
（条件式（８）に関する数値）
ｆ３／ｆｔ＝0.93
【０２５５】
（条件式（９）に関する数値）
νｄ４Ｐ＿ａｖｅ＝83.39
νｄ４Ｐ＿ａｖｅ：第４レンズ群Ｇ44に含まれる、正レンズＬ441，Ｌ443のｄ線に対するアッベ数の平均値
【０２５６】
（条件式（１０）に関する数値）
νｄ１ｎ＝23.78
νｄ１ｎ：第１レンズ群Ｇ41に含まれる、負レンズＬ411のｄ線に対するアッベ数
【０２５７】
（条件式（１１）に関する数値）
νｄ１ｐ＝81.61
νｄ１ｐ：第１レンズ群Ｇ41に含まれる、正レンズＬ412のｄ線に対するアッベ数
【０２５８】
（条件式（１２）に関する数値）
νｄ２ｐ＝25.46
νｄ２ｐ：第２レンズ群Ｇ42に含まれる、正レンズＬ423のｄ線に対するアッベ数
【０２５９】
（条件式（１３）に関する数値）
ｆ１／ｆｗ＝7.98
【０２６０】
（条件式（１４）に関する数値）
｜ｆ３／ｆ２｜＝6.88
【０２６１】
（条件式（１５）に関する数値）
ｆ３／ｆ４＝2.57
【０２６２】
（条件式（１６）に関する数値）
ＰＣｔ１ｎ−（０．５４６＋０．００４７×νｄ１ｎ）＝0.0022
ＰＣｔ１ｎ（第１レンズ群Ｇ41に含まれる、負レンズＬ411のＣ線とｔ線に対する部分分散比）＝0.6600
【０２６３】
（条件式（１７）に関する数値）
ＰＣｔ２ｎ−（０．５４６＋０．００４７×νｄ２ｎ）＝0.0205
ＰＣｔ２ｎ（第２レンズ群Ｇ42に含まれる、負レンズＬ422のＣ線とｔ線に対する部分分散比）＝0.8682
νｄ２ｎ＝64.20
νｄ２ｎ：第２レンズ群Ｇ42に含まれる、負レンズＬ422のｄ線に対するアッベ数
【０２６４】
（条件式（１８）に関する数値）
ＰＣｔ４ｎ−（０．５４６＋０．００４７×νｄ４ｎ）＝0.0107
ＰＣｔ４ｎ（第４レンズ群Ｇ44に含まれる、負レンズＬ442のＣ線とｔ線に対する部分分散比）＝0.7632
νｄ４ｎ＝43.93
νｄ４ｎ：第４レンズ群Ｇ44に含まれる、負レンズＬ442のｄ線に対するアッベ数
【０２６５】
図９は、実施例４にかかるズームレンズの諸収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＩＲ線（λ＝８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例５】
【０２６６】
図１０は、実施例５にかかるズームレンズの構成を示す光軸に沿う断面図である。このズームレンズは、図示しない物体側から順に、正の屈折力を有する第１レンズ群Ｇ51と、負の屈折力を有する第２レンズ群Ｇ52と、正の屈折力を有する第３レンズ群Ｇ53と、正の屈折力を有する第４レンズ群Ｇ54と、が配置されて構成される。第２レンズ群Ｇ52と第３レンズ群Ｇ53との間には、所定の口径を規定する開口絞りＳＴＰが配置される。第４レンズ群Ｇ54と結像面ＩＭＧとの間には、カバーガラスＣＧが配置される。
【０２６７】
第１レンズ群Ｇ51は、物体側から順に、負レンズＬ511と、正レンズＬ512と、正レンズＬ513と、が配置されて構成される。負レンズＬ511と正レンズＬ512とは、接合されている。
【０２６８】
第２レンズ群Ｇ52は、物体側から順に、負レンズＬ521と、負レンズＬ522と、正レンズＬ523と、が配置されて構成される。負レンズＬ522と正レンズＬ523とは、接合されている。
【０２６９】
第３レンズ群Ｇ53は、物体側から順に、正レンズＬ531と、負レンズＬ532と、が配置されて構成される。正レンズＬ531の物体側面には、非球面が形成されている。正レンズＬ531と、負レンズＬ532とは、接合されている。また、正レンズＬ531の物体側の面および負レンズＬ532の結像面ＩＭＧ側の面は、ともに結像面ＩＭＧ側に凹形状を呈している。
【０２７０】
第４レンズ群Ｇ54は、物体側から順に、正レンズＬ541と、負レンズＬ542と、正レンズＬ543と、が配置されて構成される。正レンズＬ541の物体側面は、物体側に凸形状を呈している。また、正レンズＬ541の両面には、非球面が形成されている。負レンズＬ542と、正レンズＬ543とは、接合されている。
【０２７１】
このズームレンズは、第２レンズ群Ｇ52を光軸に沿って物体側から結像面ＩＭＧへ移動させて、広角端から望遠端への変倍を行う。また、第４レンズ群Ｇ54を光軸に沿って物体側に緩い凸の軌跡を形成するように移動させて、変倍に伴う結像面ＩＭＧの位置の補正を行うとともに、無限遠物体合焦状態から最至近距離物体合焦状態までのフォーカシングを行う。なお、第１レンズ群Ｇ51および第３レンズ群Ｇ53は、変倍に際して固定される。
【０２７２】
以下、実施例５にかかるズームレンズに関する各種数値データを示す。
【０２７３】
ズームレンズ全系の焦点距離＝5.13（広角端：ｆｗ）〜15.34（中間焦点位置：ｆｍ）〜48.62（望遠端：ｆｔ）（無限遠物体合焦状態）
Ｆナンバー（ＦＮＯ）＝1.65（広角端）〜2.05（望遠端）
半画角（ω）＝34.11（広角端）〜3.72（望遠端）
第１レンズ群Ｇ51の焦点距離（ｆ１）＝47.23
第２レンズ群Ｇ52の焦点距離（ｆ２）＝-8.81
第３レンズ群Ｇ53の焦点距離（ｆ３）＝59.44
第４レンズ群Ｇ54の焦点距離（ｆ４）＝17.53
変倍比（ｆｔ／ｆｗ）＝9.48
【０２７４】
（レンズデータ）
ｒ1＝51.74
ｄ1＝0.80    ｎｄ1＝1.84666    νｄ1＝23.78
ｒ2＝34.43
ｄ2＝5.98    ｎｄ2＝1.49700    νｄ2＝81.61
ｒ3＝-234.04
ｄ3＝0.15
ｒ4＝30.28
ｄ4＝3.44    ｎｄ3＝1.61800    νｄ3＝63.40
ｒ5＝81.31
ｄ5＝D(5)（可変）
ｒ6＝1231.39
ｄ6＝0.50    ｎｄ4＝1.88300    νｄ4＝40.81
ｒ7＝7.99
ｄ7＝3.53
ｒ8＝-19.13
ｄ8＝0.50    ｎｄ5＝1.70154    νｄ5＝41.15
ｒ9＝10.03
ｄ9＝2.80    ｎｄ6＝1.99820    νｄ6＝25.46
ｒ10＝-346.49
ｄ10＝D(10)（可変）
ｒ11＝∞（開口絞り）
ｄ11＝1.16
ｒ12＝15.72（非球面）
ｄ12＝5.19    ｎｄ7＝1.49710    νｄ7＝81.56
ｒ13＝-16.12
ｄ13＝0.50    ｎｄ8＝1.48749    νｄ8＝70.44
ｒ14＝27.94
ｄ14＝D(14)（可変）
ｒ15＝10.35（非球面）
ｄ15＝4.15    ｎｄ9＝1.55332    νｄ9＝71.68
ｒ16＝-34.10（非球面）
ｄ16＝0.15
ｒ17＝68.24
ｄ17＝0.50    ｎｄ10＝1.80411    νｄ10＝40.73
ｒ18＝7.50
ｄ18＝4.32    ｎｄ11＝1.49700    νｄ11＝81.61
ｒ19＝-25.38
ｄ19＝D(19)（可変）
ｒ20＝∞
ｄ20＝1.50    ｎｄ12＝1.51633    νｄ12＝64.14
ｒ21＝∞
ｄ21＝2.00
ｒ22＝∞（結像面）
【０２７５】
円錐係数（ｋ）および非球面係数（Ａ，Ｂ，Ｃ，Ｄ）
（第１２面）
ｋ＝0，
Ａ＝-3.91726×10-5，Ｂ＝-4.44060×10-7，
Ｃ＝5.34452×10-9，Ｄ＝-5.25324×10-11
（第１５面）
ｋ＝0，
Ａ＝-8.69803×10-5，Ｂ＝2.40959×10-7，
Ｃ＝-5.20781×10-9，Ｄ＝-2.75815×10-10
（第１６面）
ｋ＝0，
Ａ＝6.74766×10-5，Ｂ＝7.10343×10-7，
Ｃ＝-3.39423×10-8，Ｄ＝1.40224×10-10
【０２７６】
（変倍データ）
広角端    望遠端
D(5)          1.20     27.91
D(10)        29.68      2.97
D(14)         9.82      5.32
D(19)        11.18     15.69
【０２７７】
（条件式（１）に関する数値）
｜ＰＣｔ３ｐ−ＰＣｔ３ｎ｜＝0.0683
ＰＣｔ３ｐ（第３レンズ群Ｇ53に含まれる、正レンズＬ531のＣ線とｔ線に対する部分分散比）＝0.8305
ＰＣｔ３ｎ（第３レンズ群Ｇ53に含まれる、負レンズＬ532のＣ線とｔ線に対する部分分散比）＝0.8988
【０２７８】
（条件式（２）に関する数値）
νｄ３ｐ＝81.56
νｄ３ｐ：第３レンズ群Ｇ53に含まれる、正レンズＬ531のｄ線に対するアッベ数
【０２７９】
（条件式（３）に関する数値）
νｄ３ｎ＝70.44
νｄ３ｎ：第３レンズ群Ｇ53に含まれる、負レンズＬ532のｄ線に対するアッベ数
【０２８０】
（条件式（４）に関する数値）
｜ＰｇＦ３ｐ−ＰｇＦ３ｎ｜＝0.0082
ＰｇＦ３ｐ（第３レンズ群Ｇ53に含まれる、正レンズＬ531のｇ線とＦ線に対する部分分散比）＝0.5388
ＰｇＦ３ｎ（第３レンズ群Ｇ53に含まれる、負レンズＬ532のｇ線とＦ線に対する部分分散比）＝0.5306
【０２８１】
（条件式（５）に関する数値）
ＰＣｔ３ｎ−（０．５４６＋０．００４７×νｄ３ｎ）＝0.0217
【０２８２】
（条件式（６）に関する数値）
ｆ３／ｆｗ＝11.59
【０２８３】
（条件式（７）に関する数値）
ｆ１／ｆｔ＝0.97
【０２８４】
（条件式（８）に関する数値）
ｆ３／ｆｔ＝1.22
【０２８５】
（条件式（９）に関する数値）
νｄ４Ｐ＿ａｖｅ＝76.65
νｄ４Ｐ＿ａｖｅ：第４レンズ群Ｇ54に含まれる、正レンズＬ541，Ｌ543のｄ線に対するアッベ数の平均値
【０２８６】
（条件式（１０）に関する数値）
νｄ１ｎ＝23.78
νｄ１ｎ：第１レンズ群Ｇ51に含まれる、負レンズＬ511のｄ線に対するアッベ数
【０２８７】
（条件式（１１）に関する数値）
νｄ１ｐ＝81.61
νｄ１ｐ：第１レンズ群Ｇ51に含まれる、正レンズＬ512のｄ線に対するアッベ数
【０２８８】
（条件式（１２）に関する数値）
νｄ２ｐ＝25.46
νｄ２ｐ：第２レンズ群Ｇ52に含まれる、正レンズＬ523のｄ線に対するアッベ数
【０２８９】
（条件式（１３）に関する数値）
ｆ１／ｆｗ＝9.21
【０２９０】
（条件式（１４）に関する数値）
｜ｆ３／ｆ２｜＝6.75
【０２９１】
（条件式（１５）に関する数値）
ｆ３／ｆ４＝3.39
【０２９２】
（条件式（１６）に関する数値）
ＰＣｔ１ｎ−（０．５４６＋０．００４７×νｄ１ｎ）＝0.0022
ＰＣｔ１ｎ（第１レンズ群Ｇ51に含まれる、負レンズＬ511のＣ線とｔ線に対する部分分散比）＝0.6600
【０２９３】
（条件式（１７）に関する数値）
ＰＣｔ２ｎ−（０．５４６＋０．００４７×νｄ２ｎ）＝0.0003
ＰＣｔ２ｎ（第２レンズ群Ｇ52に含まれる、負レンズＬ521のＣ線とｔ線に対する部分分散比）＝0.7381
νｄ２ｎ＝40.81
νｄ２ｎ：第２レンズ群Ｇ52に含まれる、負レンズＬ521のｄ線に対するアッベ数
【０２９４】
（条件式（１８）に関する数値）
ＰＣｔ４ｎ−（０．５４６＋０．００４７×νｄ４ｎ）＝0.0090
ＰＣｔ４ｎ（第４レンズ群Ｇ54に含まれる、負レンズＬ542のＣ線とｔ線に対する部分分散比）＝0.7464
νｄ４ｎ＝40.73
νｄ４ｎ：第４レンズ群Ｇ54に含まれる、負レンズＬ542のｄ線に対するアッベ数
【０２９５】
図１１は、実施例５にかかるズームレンズの諸収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＩＲ線（λ＝８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例６】
【０２９６】
図１２は、実施例６にかかるズームレンズの構成を示す光軸に沿う断面図である。このズームレンズは、図示しない物体側から順に、正の屈折力を有する第１レンズ群Ｇ61と、負の屈折力を有する第２レンズ群Ｇ62と、正の屈折力を有する第３レンズ群Ｇ63と、正の屈折力を有する第４レンズ群Ｇ64と、が配置されて構成される。第２レンズ群Ｇ62と第３レンズ群Ｇ63との間には、所定の口径を規定する開口絞りＳＴＰが配置される。第４レンズ群Ｇ64と結像面ＩＭＧとの間には、カバーガラスＣＧが配置される。
【０２９７】
第１レンズ群Ｇ61は、物体側から順に、負レンズＬ611と、正レンズＬ612と、正レンズＬ613と、が配置されて構成される。負レンズＬ611と正レンズＬ612とは、接合されている。
【０２９８】
第２レンズ群Ｇ62は、物体側から順に、負レンズＬ621と、負レンズＬ622と、正レンズＬ623と、が配置されて構成される。負レンズＬ622と正レンズＬ623とは、接合されている。
【０２９９】
第３レンズ群Ｇ63は、物体側から順に、負レンズＬ631と、正レンズＬ632と、が配置されて構成される。負レンズＬ631の物体側面には、非球面が形成されている。負レンズＬ631と、正レンズＬ632とは、接合されている。また、負レンズＬ631の物体側の面および正レンズＬ632の結像面ＩＭＧ側の面は、ともに結像面ＩＭＧ側に凹形状を呈している。
【０３００】
第４レンズ群Ｇ64は、物体側から順に、正レンズＬ641と、負レンズＬ642と、正レンズＬ643と、が配置されて構成される。正レンズＬ641の物体側面は、物体側に凸形状を呈している。また、正レンズＬ641の両面には、非球面が形成されている。負レンズＬ642と、正レンズＬ643とは、接合されている。
【０３０１】
このズームレンズは、第２レンズ群Ｇ62を光軸に沿って物体側から結像面ＩＭＧへ移動させて、広角端から望遠端への変倍を行う。また、第４レンズ群Ｇ64を光軸に沿って物体側に緩い凸の軌跡を形成するように移動させて、変倍に伴う結像面ＩＭＧの位置の補正を行うとともに、無限遠物体合焦状態から最至近距離物体合焦状態までのフォーカシングを行う。なお、第１レンズ群Ｇ61および第３レンズ群Ｇ63は、変倍に際して固定される。
【０３０２】
以下、実施例６にかかるズームレンズに関する各種数値データを示す。
【０３０３】
ズームレンズ全系の焦点距離＝5.13（広角端：ｆｗ）〜15.35（中間焦点位置：ｆｍ）〜48.64（望遠端：ｆｔ）（無限遠物体合焦状態）
Ｆナンバー（ＦＮＯ）＝1.54（広角端）〜2.02（望遠端）
半画角（ω）＝35.35（広角端）〜3.72（望遠端）
第１レンズ群Ｇ61の焦点距離（ｆ１）＝48.43
第２レンズ群Ｇ62の焦点距離（ｆ２）＝-8.86
第３レンズ群Ｇ63の焦点距離（ｆ３）＝59.76
第４レンズ群Ｇ64の焦点距離（ｆ４）＝17.33
変倍比（ｆｔ／ｆｗ）＝9.48
【０３０４】
（レンズデータ）
ｒ1＝42.294
ｄ1＝0.85    ｎｄ1＝1.84666    νｄ1＝23.78
ｒ2＝30.051
ｄ2＝5.34    ｎｄ2＝1.49700    νｄ2＝81.61
ｒ3＝1138.451
ｄ3＝0.15
ｒ4＝34.371
ｄ4＝3.14    ｎｄ3＝1.61800    νｄ3＝63.40
ｒ5＝120.390
ｄ5＝D(5)（可変）
ｒ6＝-238.675
ｄ6＝0.50    ｎｄ4＝1.88300    νｄ4＝40.81
ｒ7＝8.584
ｄ7＝3.38
ｒ8＝-21.390
ｄ8＝0.50    ｎｄ5＝1.51680    νｄ5＝64.20
ｒ9＝10.976
ｄ9＝2.35    ｎｄ6＝1.99820    νｄ6＝25.46
ｒ10＝42.637
ｄ10＝D(10)（可変）
ｒ11＝∞（開口絞り）
ｄ11＝0.96
ｒ12＝15.158（非球面）
ｄ12＝0.50    ｎｄ7＝1.69680    νｄ7＝55.46
ｒ13＝8.254
ｄ13＝4.10    ｎｄ8＝1.59282    νｄ8＝68.62
ｒ14＝31.742
ｄ14＝D(14)（可変）
ｒ15＝9.094（非球面）
ｄ15＝4.54    ｎｄ9＝1.55332    νｄ9＝71.68
ｒ16＝-31.852（非球面）
ｄ16＝0.15
ｒ17＝81.406
ｄ17＝0.40    ｎｄ10＝1.78590    νｄ10＝43.93
ｒ18＝7.019
ｄ18＝4.84    ｎｄ11＝1.43700    νｄ11＝95.10
ｒ19＝-19.947
ｄ19＝D(19)（可変）
ｒ20＝∞
ｄ20＝1.50    ｎｄ12＝1.51633    νｄ12＝64.14
ｒ21＝∞
ｄ21＝2.00
ｒ22＝∞（結像面）
【０３０５】
円錐係数（ｋ）および非球面係数（Ａ，Ｂ，Ｃ，Ｄ）
（第１２面）
ｋ＝0，
Ａ＝-9.30617×10-6，Ｂ＝-1.90455×10-7，
Ｃ＝3.52681×10-9，Ｄ＝-1.93326×10-11
（第１５面）
ｋ＝0，
Ａ＝-1.18233×10-4，Ｂ＝2.67546×10-7，
Ｃ＝-1.60250×10-8，Ｄ＝-9.66800×10-11
（第１６面）
ｋ＝0，
Ａ＝1.01985×10-4，Ｂ＝1.07100×10-6，
Ｃ＝-4.78102×10-8，Ｄ＝4.60821×10-10
【０３０６】
（変倍データ）
広角端    望遠端
D(5)          1.21     27.98
D(10)        30.04      3.27
D(14)        10.42      4.88
D(19)        10.14     15.67
【０３０７】
（条件式（１）に関する数値）
｜ＰＣｔ３ｐ−ＰＣｔ３ｎ｜＝0.0373
ＰＣｔ３ｐ（第３レンズ群Ｇ63に含まれる、正レンズＬ632のＣ線とｔ線に対する部分分散比）＝0.7960
ＰＣｔ３ｎ（第３レンズ群Ｇ63に含まれる、負レンズＬ631のＣ線とｔ線に対する部分分散比）＝0.8333
【０３０８】
（条件式（２）に関する数値）
νｄ３ｐ＝68.62
νｄ３ｐ：第３レンズ群Ｇ63に含まれる、正レンズＬ632のｄ線に対するアッベ数
【０３０９】
（条件式（３）に関する数値）
νｄ３ｎ＝55.46
νｄ３ｎ：第３レンズ群Ｇ63に含まれる、負レンズＬ631のｄ線に対するアッベ数
【０３１０】
（条件式（４）に関する数値）
｜ＰｇＦ３ｐ−ＰｇＦ３ｎ｜＝0.0016
ＰｇＦ３ｐ（第３レンズ群Ｇ63に含まれる、正レンズＬ632のｇ線とＦ線に対する部分分散比）＝0.5441
ＰｇＦ３ｎ（第３レンズ群Ｇ63に含まれる、負レンズＬ631のｇ線とＦ線に対する部分分散比）＝0.5425
【０３１１】
（条件式（５）に関する数値）
ＰＣｔ３ｎ−（０．５４６＋０．００４７×νｄ３ｎ）＝0.0266
【０３１２】
（条件式（６）に関する数値）
ｆ３／ｆｗ＝11.65
【０３１３】
（条件式（７）に関する数値）
ｆ１／ｆｔ＝1.00
【０３１４】
（条件式（８）に関する数値）
ｆ３／ｆｔ＝1.23
【０３１５】
（条件式（９）に関する数値）
νｄ４Ｐ＿ａｖｅ＝83.39
νｄ４Ｐ＿ａｖｅ：第４レンズ群Ｇ64に含まれる、正レンズＬ641，Ｌ643のｄ線に対するアッベ数の平均値
【０３１６】
（条件式（１０）に関する数値）
νｄ１ｎ＝23.78
νｄ１ｎ：第１レンズ群Ｇ61に含まれる、負レンズＬ611のｄ線に対するアッベ数
【０３１７】
（条件式（１１）に関する数値）
νｄ１ｐ＝81.61
νｄ１ｐ：第１レンズ群Ｇ61に含まれる、正レンズＬ612のｄ線に対するアッベ数
【０３１８】
（条件式（１２）に関する数値）
νｄ２ｐ＝25.46
νｄ２ｐ：第２レンズ群Ｇ62に含まれる、正レンズＬ623のｄ線に対するアッベ数
【０３１９】
（条件式（１３）に関する数値）
ｆ１／ｆｗ＝9.44
【０３２０】
（条件式（１４）に関する数値）
｜ｆ３／ｆ２｜＝6.75
【０３２１】
（条件式（１５）に関する数値）
ｆ３／ｆ４＝3.45
【０３２２】
（条件式（１６）に関する数値）
ＰＣｔ１ｎ−（０．５４６＋０．００４７×νｄ１ｎ）＝0.0022
ＰＣｔ１ｎ（第１レンズ群Ｇ61に含まれる、負レンズＬ611のＣ線とｔ線に対する部分分散比）＝0.6600
【０３２３】
（条件式（１７）に関する数値）
ＰＣｔ２ｎ−（０．５４６＋０．００４７×νｄ２ｎ）＝0.0205
ＰＣｔ２ｎ（第２レンズ群Ｇ62に含まれる、負レンズＬ622のＣ線とｔ線に対する部分分散比）＝0.8682
νｄ２ｎ＝64.20
νｄ２ｎ：第２レンズ群Ｇ62に含まれる、負レンズＬ622のｄ線に対するアッベ数
【０３２４】
（条件式（１８）に関する数値）
ＰＣｔ４ｎ−（０．５４６＋０．００４７×νｄ４ｎ）＝0.0107
ＰＣｔ４ｎ（第４レンズ群Ｇ64に含まれる、負レンズＬ642のＣ線とｔ線に対する部分分散比）＝0.7632
νｄ４ｎ＝43.93
νｄ４ｎ：第４レンズ群Ｇ64に含まれる、負レンズＬ642のｄ線に対するアッベ数
【０３２５】
図１３は、実施例６にかかるズームレンズの諸収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＩＲ線（λ＝８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例７】
【０３２６】
図１４は、実施例７にかかるズームレンズの構成を示す光軸に沿う断面図である。このズームレンズは、図示しない物体側から順に、正の屈折力を有する第１レンズ群Ｇ71と、負の屈折力を有する第２レンズ群Ｇ72と、正の屈折力を有する第３レンズ群Ｇ73と、正の屈折力を有する第４レンズ群Ｇ74と、負の屈折力を有する第５レンズ群Ｇ75と、が配置されて構成される。第２レンズ群Ｇ72と第３レンズ群Ｇ73との間には、所定の口径を規定する開口絞りＳＴＰが配置される。第５レンズ群Ｇ75と結像面ＩＭＧとの間には、カバーガラスＣＧが配置される。
【０３２７】
第１レンズ群Ｇ71は、物体側から順に、負レンズＬ711と、正レンズＬ712と、正レンズＬ713と、が配置されて構成される。負レンズＬ711と正レンズＬ712とは、接合されている。
【０３２８】
第２レンズ群Ｇ72は、物体側から順に、負レンズＬ721と、負レンズＬ722と、正レンズＬ723と、が配置されて構成される。負レンズＬ722と正レンズＬ723とは、接合されている。
【０３２９】
第３レンズ群Ｇ73は、物体側から順に、正レンズＬ731と、負レンズＬ732と、が配置されて構成される。正レンズＬ731の物体側面には、非球面が形成されている。正レンズＬ731と、負レンズＬ732とは、接合されている。また、正レンズＬ731の物体側の面および負レンズＬ732の結像面ＩＭＧ側の面は、ともに結像面ＩＭＧ側に凹形状を呈している。
【０３３０】
第４レンズ群Ｇ74は、物体側から順に、正レンズＬ741と、負レンズＬ742と、正レンズＬ743と、が配置されて構成される。正レンズＬ741の物体側面は、物体側に凸形状を呈している。また、正レンズＬ741の両面には、非球面が形成されている。負レンズＬ742と、正レンズＬ743とは、接合されている。
【０３３１】
第５レンズ群Ｇ75は、物体側から順に、正レンズＬ751と、負レンズＬ752と、が配置されて構成される。
【０３３２】
このズームレンズは、第２レンズ群Ｇ72を光軸に沿って物体側から結像面ＩＭＧへ移動させて、広角端から望遠端への変倍を行う。また、第４レンズ群Ｇ74を光軸に沿って物体側に緩い凸の軌跡を形成するように移動させて、変倍に伴う結像面ＩＭＧの位置の補正を行うとともに、無限遠物体合焦状態から最至近距離物体合焦状態までのフォーカシングを行う。なお、第１レンズ群Ｇ71、第３レンズ群Ｇ73および第５レンズ群Ｇ75は、変倍に際して固定される。
【０３３３】
以下、実施例７にかかるズームレンズに関する各種数値データを示す。
【０３３４】
ズームレンズ全系の焦点距離＝5.13（広角端：ｆｗ）〜15.35（中間焦点位置：ｆｍ）〜48.70（望遠端：ｆｔ）（無限遠物体合焦状態）
Ｆナンバー（ＦＮＯ）＝1.65（広角端）〜2.06（望遠端）
半画角（ω）＝33.94（広角端）〜3.68（望遠端）
第１レンズ群Ｇ71の焦点距離（ｆ１）＝47.39
第２レンズ群Ｇ72の焦点距離（ｆ２）＝-8.77
第３レンズ群Ｇ73の焦点距離（ｆ３）＝58.17
第４レンズ群Ｇ74の焦点距離（ｆ４）＝16.85
第５レンズ群Ｇ75の焦点距離（ｆ５）＝-296.87
変倍比（ｆｔ／ｆｗ）＝9.50
【０３３５】
（レンズデータ）
ｒ1＝53.400
ｄ1＝0.80    ｎｄ1＝1.84666    νｄ1＝23.78
ｒ2＝34.818
ｄ2＝5.92    ｎｄ2＝1.49700    νｄ2＝81.61
ｒ3＝-231.493
ｄ3＝0.15
ｒ4＝31.672
ｄ4＝3.50    ｎｄ3＝1.61800    νｄ3＝63.40
ｒ5＝97.642
ｄ5＝D(5)（可変）
ｒ6＝-676.488
ｄ6＝0.50    ｎｄ4＝1.88300    νｄ4＝40.81
ｒ7＝8.419
ｄ7＝3.56
ｒ8＝-19.473
ｄ8＝0.50    ｎｄ5＝1.70154    νｄ5＝41.15
ｒ9＝10.330
ｄ9＝2.82    ｎｄ6＝1.99820    νｄ6＝25.46
ｒ10＝-1594.872
ｄ10＝D(10)（可変）
ｒ11＝∞（開口絞り）
ｄ11＝1.80
ｒ12＝13.984（非球面）
ｄ12＝5.20    ｎｄ7＝1.55332    νｄ7＝71.68
ｒ13＝-11.365
ｄ13＝0.50    ｎｄ8＝1.51680    νｄ8＝64.20
ｒ14＝17.530
ｄ14＝D(14)（可変）
ｒ15＝10.917（非球面）
ｄ15＝4.10    ｎｄ9＝1.55332    νｄ9＝71.68
ｒ16＝-45.815（非球面）
ｄ16＝0.15
ｒ17＝35.160
ｄ17＝0.50    ｎｄ10＝1.80611    νｄ10＝40.73
ｒ18＝7.744
ｄ18＝4.16    ｎｄ11＝1.49700    νｄ11＝81.61
ｒ19＝-29.426
ｄ19＝D(19)（可変）
ｒ20＝-68.750
ｄ20＝1.72    ｎｄ12＝1.49700    νｄ12＝81.61
ｒ21＝-14.805
ｄ21＝1.15
ｒ22＝-10.199
ｄ22＝1.00    ｎｄ13＝1.84666    νｄ13＝23.78
ｒ23＝-16.665
ｄ23＝0.61
ｒ24＝∞
ｄ24＝1.50    ｎｄ14＝1.51633    νｄ14＝64.14
ｒ25＝∞
ｄ25＝2.00
ｒ26＝∞（結像面）
【０３３６】
円錐係数（ｋ）および非球面係数（Ａ，Ｂ，Ｃ，Ｄ）
（第１２面）
ｋ＝0，
Ａ＝-5.39226×10-5，Ｂ＝-3.86887×10-7，
Ｃ＝2.69732×10-9，Ｄ＝-4.20943×10-11
（第１５面）
ｋ＝0，
Ａ＝-8.86362×10-5，Ｂ＝2.04791×10-7，
Ｃ＝-1.03515×10-8，Ｄ＝-1.54668×10-10
（第１６面）
ｋ＝0，
Ａ＝3.33892×10-5，Ｂ＝4.50205×10-7，
Ｃ＝-2.72941×10-8，Ｄ＝1.07041×10-10
【０３３７】
（変倍データ）
広角端    望遠端
D(5)          1.20     27.82
D(10)        29.61      2.99
D(14)         8.72      3.92
D(19)         7.35     12.15
【０３３８】
（条件式（１）に関する数値）
｜ＰＣｔ３ｐ−ＰＣｔ３ｎ｜＝0.0518
ＰＣｔ３ｐ（第３レンズ群Ｇ73に含まれる、正レンズＬ731のＣ線とｔ線に対する部分分散比）＝0.8164
ＰＣｔ３ｎ（第３レンズ群Ｇ73に含まれる、負レンズＬ732のＣ線とｔ線に対する部分分散比）＝0.8682
【０３３９】
（条件式（２）に関する数値）
νｄ３ｐ＝71.68
νｄ３ｐ：第３レンズ群Ｇ73に含まれる、正レンズＬ731のｄ線に対するアッベ数
【０３４０】
（条件式（３）に関する数値）
νｄ３ｎ＝64.20
νｄ３ｎ：第３レンズ群Ｇ73に含まれる、負レンズＬ732のｄ線に対するアッベ数
【０３４１】
（条件式（４）に関する数値）
｜ＰｇＦ３ｐ−ＰｇＦ３ｎ｜＝0.0059
ＰｇＦ３ｐ（第３レンズ群Ｇ73に含まれる、正レンズＬ731のｇ線とＦ線に対する部分分散比）＝0.5402
ＰｇＦ３ｎ（第３レンズ群Ｇ73に含まれる、負レンズＬ732のｇ線とＦ線に対する部分分散比）＝0.5343
【０３４２】
（条件式（５）に関する数値）
ＰＣｔ３ｎ−（０．５４６＋０．００４７×νｄ３ｎ）＝0.0205
【０３４３】
（条件式（６）に関する数値）
ｆ３／ｆｗ＝11.35
【０３４４】
（条件式（７）に関する数値）
ｆ１／ｆｔ＝0.97
【０３４５】
（条件式（８）に関する数値）
ｆ３／ｆｔ＝1.19
【０３４６】
（条件式（９）に関する数値）
νｄ４Ｐ＿ａｖｅ＝76.65
νｄ４Ｐ＿ａｖｅ：第４レンズ群Ｇ74に含まれる、正レンズＬ741，Ｌ743のｄ線に対するアッベ数の平均値
【０３４７】
（条件式（１０）に関する数値）
νｄ１ｎ＝23.78
νｄ１ｎ：第１レンズ群Ｇ71に含まれる、負レンズＬ711のｄ線に対するアッベ数
【０３４８】
（条件式（１１）に関する数値）
νｄ１ｐ＝81.61
νｄ１ｐ：第１レンズ群Ｇ71に含まれる、正レンズＬ712のｄ線に対するアッベ数
【０３４９】
（条件式（１２）に関する数値）
νｄ２ｐ＝25.46
νｄ２ｐ：第２レンズ群Ｇ72に含まれる、正レンズＬ723のｄ線に対するアッベ数
【０３５０】
（条件式（１３）に関する数値）
ｆ１／ｆｗ＝9.24
【０３５１】
（条件式（１４）に関する数値）
｜ｆ３／ｆ２｜＝6.63
【０３５２】
（条件式（１５）に関する数値）
ｆ３／ｆ４＝3.45
【０３５３】
（条件式（１６）に関する数値）
ＰＣｔ１ｎ−（０．５４６＋０．００４７×νｄ１ｎ）＝0.0022
ＰＣｔ１ｎ（第１レンズ群Ｇ71に含まれる、負レンズＬ711のＣ線とｔ線に対する部分分散比）＝0.6600
【０３５４】
（条件式（１７）に関する数値）
ＰＣｔ２ｎ−（０．５４６＋０．００４７×νｄ２ｎ）＝0.0003
ＰＣｔ２ｎ（第２レンズ群Ｇ72に含まれる、負レンズＬ722のＣ線とｔ線に対する部分分散比）＝0.7381
νｄ２ｎ＝40.81
νｄ２ｎ：第２レンズ群Ｇ72に含まれる、負レンズＬ722のｄ線に対するアッベ数
【０３５５】
（条件式（１８）に関する数値）
ＰＣｔ４ｎ−（０．５４６＋０．００４７×νｄ４ｎ）＝0.0090
ＰＣｔ４ｎ（第４レンズ群Ｇ74に含まれる、負レンズＬ742のＣ線とｔ線に対する部分分散比）＝0.7464
νｄ４ｎ＝40.73
νｄ４ｎ：第４レンズ群Ｇ74に含まれる、負レンズＬ742のｄ線に対するアッベ数
【０３５６】
図１５は、実施例７にかかるズームレンズの諸収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＩＲ線（λ＝８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例８】
【０３５７】
図１６は、実施例８にかかるズームレンズの構成を示す光軸に沿う断面図である。このズームレンズは、図示しない物体側から順に、正の屈折力を有する第１レンズ群Ｇ81と、負の屈折力を有する第２レンズ群Ｇ82と、正の屈折力を有する第３レンズ群Ｇ83と、正の屈折力を有する第４レンズ群Ｇ84と、正の屈折力を有する第５レンズ群Ｇ85と、が配置されて構成される。第２レンズ群Ｇ82と第３レンズ群Ｇ83との間には、所定の口径を規定する開口絞りＳＴＰが配置される。第５レンズ群Ｇ85と結像面ＩＭＧとの間には、カバーガラスＣＧが配置される。
【０３５８】
第１レンズ群Ｇ81は、物体側から順に、負レンズＬ811と、正レンズＬ812と、正レンズＬ813と、が配置されて構成される。負レンズＬ811と正レンズＬ812とは、接合されている。
【０３５９】
第２レンズ群Ｇ82は、物体側から順に、負レンズＬ821と、負レンズＬ822と、正レンズＬ823と、が配置されて構成される。負レンズＬ822と正レンズＬ823とは、接合されている。
【０３６０】
第３レンズ群Ｇ83は、物体側から順に、負レンズＬ831と、正レンズＬ832と、が配置されて構成される。負レンズＬ831の物体側面には、非球面が形成されている。負レンズＬ831と、正レンズＬ832とは、接合されている。また、負レンズＬ831の物体側の面および正レンズＬ832の結像面ＩＭＧ側の面は、ともに結像面ＩＭＧ側に凹形状を呈している。
【０３６１】
第４レンズ群Ｇ84は、物体側から順に、正レンズＬ841と、負レンズＬ842と、正レンズＬ843と、が配置されて構成される。正レンズＬ841の物体側面は、物体側に凸形状を呈している。また、正レンズＬ841の両面には、非球面が形成されている。負レンズＬ842と、正レンズＬ843とは、接合されている。
【０３６２】
第５レンズ群Ｇ85は、物体側から順に、正レンズＬ851と、負レンズＬ852と、が配置されて構成される。
【０３６３】
このズームレンズは、第２レンズ群Ｇ82を光軸に沿って物体側から結像面ＩＭＧへ移動させて、広角端から望遠端への変倍を行う。また、第４レンズ群Ｇ84を光軸に沿って物体側に緩い凸の軌跡を形成するように移動させて、変倍に伴う結像面ＩＭＧの位置の補正を行うとともに、無限遠物体合焦状態から最至近距離物体合焦状態までのフォーカシングを行う。なお、第１レンズ群Ｇ81、第３レンズ群Ｇ83および第５レンズ群Ｇ85は、変倍に際して固定される。
【０３６４】
以下、実施例８にかかるズームレンズに関する各種数値データを示す。
【０３６５】
ズームレンズ全系の焦点距離＝5.13（広角端：ｆｗ）〜15.37（中間焦点位置：ｆｍ）〜48.65（望遠端：ｆｔ）（無限遠物体合焦状態）
Ｆナンバー（ＦＮＯ）＝1.54（広角端）〜1.90（望遠端）
半画角（ω）＝33.96（広角端）〜3.64（望遠端）
第１レンズ群Ｇ81の焦点距離（ｆ１）＝47.05
第２レンズ群Ｇ82の焦点距離（ｆ２）＝-8.78
第３レンズ群Ｇ83の焦点距離（ｆ３）＝44.18
第４レンズ群Ｇ84の焦点距離（ｆ４）＝20.29
第５レンズ群Ｇ85の焦点距離（ｆ５）＝245.71
変倍比（ｆｔ／ｆｗ）＝9.47
【０３６６】
（レンズデータ）
ｒ1＝48.813
ｄ1＝0.85    ｎｄ1＝1.84666    νｄ1＝23.78
ｒ2＝32.740
ｄ2＝5.70    ｎｄ2＝1.49700    νｄ2＝81.61
ｒ3＝-254.831
ｄ3＝0.15
ｒ4＝33.650
ｄ4＝3.13    ｎｄ3＝1.62041    νｄ3＝60.34
ｒ5＝109.589
ｄ5＝D(5)（可変）
ｒ6＝-323.287
ｄ6＝0.50    ｎｄ4＝1.88300    νｄ4＝40.81
ｒ7＝8.757
ｄ7＝3.43
ｒ8＝-18.263
ｄ8＝0.50    ｎｄ5＝1.51680    νｄ5＝64.20
ｒ9＝11.476
ｄ9＝2.30    ｎｄ6＝1.99820    νｄ6＝25.46
ｒ10＝48.683
ｄ10＝D(10)（可変）
ｒ11＝∞（開口絞り）
ｄ11＝1.46
ｒ12＝22.907（非球面）
ｄ12＝0.50    ｎｄ7＝1.62263    νｄ7＝58.16
ｒ13＝7.976
ｄ13＝4.92    ｎｄ8＝1.59282    νｄ8＝68.62
ｒ14＝648.644
ｄ14＝D(14)（可変）
ｒ15＝10.056（非球面）
ｄ15＝4.13    ｎｄ9＝1.55332    νｄ9＝71.68
ｒ16＝-27.596（非球面）
ｄ16＝0.15
ｒ17＝154.693
ｄ17＝0.40    ｎｄ10＝1.78590    νｄ10＝43.93
ｒ18＝7.641
ｄ18＝4.42    ｎｄ11＝1.43700    νｄ11＝95.10
ｒ19＝-29.217
ｄ19＝D(19)（可変）
ｒ20＝59.230
ｄ20＝1.52    ｎｄ12＝1.58913    νｄ12＝61.25
ｒ21＝-20.549
ｄ21＝1.30
ｒ22＝-10.097
ｄ22＝0.50    ｎｄ13＝1.59270    νｄ13＝35.45
ｒ23＝-26.778
ｄ23＝0.75
ｒ24＝∞
ｄ24＝1.50    ｎｄ14＝1.51633    νｄ14＝64.14
ｒ25＝∞
ｄ25＝2.00
ｒ26＝∞（結像面）
【０３６７】
円錐係数（ｋ）および非球面係数（Ａ，Ｂ，Ｃ，Ｄ）
（第１２面）
ｋ＝0，
Ａ＝-1.28959×10-5，Ｂ＝-3.63050×10-7，
Ｃ＝7.34699×10-9，Ｄ＝-4.92005×10-11
（第１５面）
ｋ＝0，
Ａ＝-8.49410×10-5，Ｂ＝4.99870×10-7，
Ｃ＝-1.46735×10-8，Ｄ＝-8.51284×10-11
（第１６面）
ｋ＝0，
Ａ＝6.81693×10-5，Ｂ＝1.13787×10-6，
Ｃ＝-4.30018×10-8，Ｄ＝3.37909×10-10
【０３６８】
（変倍データ）
広角端    望遠端
D(5)          1.20     27.64
D(10)        29.69      3.25
D(14)         9.08      3.95
D(19)         6.90     12.04
【０３６９】
（条件式（１）に関する数値）
｜ＰＣｔ３ｐ−ＰＣｔ３ｎ｜＝0.0504
ＰＣｔ３ｐ（第３レンズ群Ｇ83に含まれる、正レンズＬ832のＣ線とｔ線に対する部分分散比）＝0.7960
ＰＣｔ３ｎ（第３レンズ群Ｇ83に含まれる、負レンズＬ831のＣ線とｔ線に対する部分分散比）＝0.8464
【０３７０】
（条件式（２）に関する数値）
νｄ３ｐ＝68.62
νｄ３ｐ：第３レンズ群Ｇ83に含まれる、正レンズＬ832のｄ線に対するアッベ数
【０３７１】
（条件式（３）に関する数値）
νｄ３ｎ＝58.16
νｄ３ｎ：第３レンズ群Ｇ83に含まれる、負レンズＬ831のｄ線に対するアッベ数
【０３７２】
（条件式（４）に関する数値）
｜ＰｇＦ３ｐ−ＰｇＦ３ｎ｜＝0.0051
ＰｇＦ３ｐ（第３レンズ群Ｇ83に含まれる、正レンズＬ832のｇ線とＦ線に対する部分分散比）＝0.5441
ＰｇＦ３ｎ（第３レンズ群Ｇ83に含まれる、負レンズＬ831のｇ線とＦ線に対する部分分散比）＝0.5390
【０３７３】
（条件式（５）に関する数値）
ＰＣｔ３ｎ−（０．５４６＋０．００４７×νｄ３ｎ）＝0.0270
【０３７４】
（条件式（６）に関する数値）
ｆ３／ｆｗ＝8.61
【０３７５】
（条件式（７）に関する数値）
ｆ１／ｆｔ＝0.97
【０３７６】
（条件式（８）に関する数値）
ｆ３／ｆｔ＝0.91
【０３７７】
（条件式（９）に関する数値）
νｄ４Ｐ＿ａｖｅ＝83.39
νｄ４Ｐ＿ａｖｅ：第４レンズ群Ｇ84に含まれる、正レンズＬ841，Ｌ843のｄ線に対するアッベ数の平均値
【０３７８】
（条件式（１０）に関する数値）
νｄ１ｎ＝23.78
νｄ１ｎ：第１レンズ群Ｇ81に含まれる、負レンズＬ811のｄ線に対するアッベ数
【０３７９】
（条件式（１１）に関する数値）
νｄ１ｐ＝81.61
νｄ１ｐ：第１レンズ群Ｇ81に含まれる、正レンズＬ812のｄ線に対するアッベ数
【０３８０】
（条件式（１２）に関する数値）
νｄ２ｐ＝25.46
νｄ２ｐ：第２レンズ群Ｇ82に含まれる、正レンズＬ823のｄ線に対するアッベ数
【０３８１】
（条件式（１３）に関する数値）
ｆ１／ｆｗ＝9.17
【０３８２】
（条件式（１４）に関する数値）
｜ｆ３／ｆ２｜＝5.03
【０３８３】
（条件式（１５）に関する数値）
ｆ３／ｆ４＝2.18
【０３８４】
（条件式（１６）に関する数値）
ＰＣｔ１ｎ−（０．５４６＋０．００４７×νｄ１ｎ）＝0.0022
ＰＣｔ１ｎ（第１レンズ群Ｇ81に含まれる、負レンズＬ811のＣ線とｔ線に対する部分分散比）＝0.6600
【０３８５】
（条件式（１７）に関する数値）
ＰＣｔ２ｎ−（０．５４６＋０．００４７×νｄ２ｎ）＝0.0205
ＰＣｔ２ｎ（第２レンズ群Ｇ82に含まれる、負レンズＬ822のＣ線とｔ線に対する部分分散比）＝0.8682
νｄ２ｎ＝64.20
νｄ２ｎ：第２レンズ群Ｇ82に含まれる、負レンズＬ822のｄ線に対するアッベ数
【０３８６】
（条件式（１８）に関する数値）
ＰＣｔ４ｎ−（０．５４６＋０．００４７×νｄ４ｎ）＝0.0107
ＰＣｔ４ｎ（第４レンズ群Ｇ84に含まれる、負レンズＬ842のＣ線とｔ線に対する部分分散比）＝0.7632
νｄ４ｎ＝43.93
νｄ４ｎ：第４レンズ群Ｇ84に含まれる、負レンズＬ842のｄ線に対するアッベ数
【０３８７】
図１７は、実施例８にかかるズームレンズの諸収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＩＲ線（λ＝８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【実施例９】
【０３８８】
図１８は、実施例９にかかるズームレンズの構成を示す光軸に沿う断面図である。このズームレンズは、図示しない物体側から順に、正の屈折力を有する第１レンズ群Ｇ91と、負の屈折力を有する第２レンズ群Ｇ92と、正の屈折力を有する第３レンズ群Ｇ93と、正の屈折力を有する第４レンズ群Ｇ94と、が配置されて構成される。第２レンズ群Ｇ92と第３レンズ群Ｇ93との間には、所定の口径を規定する開口絞りＳＴＰが配置される。第４レンズ群Ｇ94と結像面ＩＭＧとの間には、カバーガラスＣＧが配置される。
【０３８９】
第１レンズ群Ｇ91は、物体側から順に、負レンズＬ911と、正レンズＬ912と、正レンズＬ913と、が配置されて構成される。負レンズＬ911と正レンズＬ912とは、接合されている。
【０３９０】
第２レンズ群Ｇ92は、物体側から順に、負レンズＬ921と、負レンズＬ922と、正レンズＬ923と、が配置されて構成される。負レンズＬ922と正レンズＬ923とは、接合されている。
【０３９１】
第３レンズ群Ｇ93は、物体側から順に、正レンズＬ931と、正レンズＬ932と、負レンズＬ933と、が配置されて構成される。正レンズＬ931の両面および正レンズＬ932の物体側面には、それぞれ非球面が形成されている。正レンズＬ932と、負レンズＬ933とは、接合されている。また、正レンズＬ931の物体側の面および負レンズＬ933の結像面ＩＭＧ側の面は、ともに結像面ＩＭＧ側に凹形状を呈している。
【０３９２】
第４レンズ群Ｇ94は、物体側から順に、正レンズＬ941と、負レンズＬ942と、正レンズＬ943と、が配置されて構成される。正レンズＬ941の物体側面は、物体側に凸形状を呈している。また、正レンズＬ941の両面には、非球面が形成されている。負レンズＬ942と、正レンズＬ943とは、接合されている。
【０３９３】
このズームレンズは、第２レンズ群Ｇ92を光軸に沿って物体側から結像面ＩＭＧへ移動させて、広角端から望遠端への変倍を行う。また、第４レンズ群Ｇ94を光軸に沿って物体側に緩い凸の軌跡を形成するように移動させて、変倍に伴う結像面ＩＭＧの位置の補正を行うとともに、無限遠物体合焦状態から最至近距離物体合焦状態までのフォーカシングを行う。なお、第１レンズ群Ｇ91および第３レンズ群Ｇ93は、変倍に際して固定される。
【０３９４】
以下、実施例９にかかるズームレンズに関する各種数値データを示す。
【０３９５】
ズームレンズ全系の焦点距離＝5.13（広角端：ｆｗ）〜15.34（中間焦点位置：ｆｍ）〜48.68（望遠端：ｆｔ）（無限遠物体合焦状態）
Ｆナンバー（ＦＮＯ）＝1.65（広角端）〜2.13（望遠端）
半画角（ω）＝35.55（広角端）〜3.73（望遠端）
第１レンズ群Ｇ91の焦点距離（ｆ１）＝48.50
第２レンズ群Ｇ92の焦点距離（ｆ２）＝-8.98
第３レンズ群Ｇ93の焦点距離（ｆ３）＝54.61
第４レンズ群Ｇ94の焦点距離（ｆ４）＝17.13
変倍比（ｆｔ／ｆｗ）＝9.50
【０３９６】
（レンズデータ）
ｒ1＝55.925
ｄ1＝0.80    ｎｄ1＝1.84666    νｄ1＝23.78
ｒ2＝36.445
ｄ2＝5.57    ｎｄ2＝1.49700    νｄ2＝81.61
ｒ3＝-249.621
ｄ3＝0.15
ｒ4＝30.993
ｄ4＝3.44    ｎｄ3＝1.61800    νｄ3＝63.40
ｒ5＝89.767
ｄ5＝D(5)（可変）
ｒ6＝-122.803
ｄ6＝0.50    ｎｄ4＝1.88300    νｄ4＝40.81
ｒ7＝8.661
ｄ7＝3.36
ｒ8＝-22.053
ｄ8＝0.50    ｎｄ5＝1.70154    νｄ5＝41.15
ｒ9＝10.141
ｄ9＝2.80    ｎｄ6＝1.99820    νｄ6＝25.46
ｒ10＝-7482.330
ｄ10＝D(10)（可変）
ｒ11＝∞（開口絞り）
ｄ11＝1.03
ｒ12＝16.171（非球面）
ｄ12＝1.46    ｎｄ7＝1.59201    νｄ7＝67.02
ｒ13＝27.500（非球面）
ｄ13＝1.16
ｒ14＝25.869（非球面）
ｄ14＝5.20    ｎｄ8＝1.55332    νｄ8＝71.68
ｒ15＝-8.564
ｄ15＝0.50    ｎｄ9＝1.51680    νｄ9＝64.20
ｒ16＝19.756
ｄ16＝D(16)（可変）
ｒ17＝10.326（非球面）
ｄ17＝3.85    ｎｄ10＝1.55332    νｄ10＝71.68
ｒ18＝-30.058（非球面）
ｄ18＝0.15
ｒ19＝114.949
ｄ19＝0.50    ｎｄ11＝1.80611    νｄ11＝40.73
ｒ20＝8.195
ｄ20＝3.90    ｎｄ12＝1.49700    νｄ12＝81.61
ｒ21＝-24.978
ｄ21＝D(21)（可変）
ｒ22＝∞
ｄ22＝1.50    ｎｄ13＝1.51633    νｄ13＝64.14
ｒ23＝∞
ｄ23＝2.00
ｒ24＝∞（結像面）
【０３９７】
円錐係数（ｋ）および非球面係数（Ａ，Ｂ，Ｃ，Ｄ）
（第１２面）
ｋ＝0，
Ａ＝-1.63164×10-5，Ｂ＝-5.63169×10-7，
Ｃ＝-1.12900×10-8，Ｄ＝-1.49006×10-10
（第１３面）
ｋ＝0，
Ａ＝-5.29431×10-7，Ｂ＝-2.40318×10-7，
Ｃ＝-1.01046×10-8，Ｄ＝-2.15416×10-10
（第１４面）
ｋ＝0，
Ａ＝-3.36230×10-5，Ｂ＝-7.80381×10-8，
Ｃ＝7.28586×10-9，Ｄ＝-1.80345×10-10
（第１７面）
ｋ＝0，
Ａ＝-1.06634×10-4，Ｂ＝5.80031×10-8，
Ｃ＝-9.19076×10-9，Ｄ＝-3.56458×10-10
（第１８面）
ｋ＝0，
Ａ＝5.41633×10-5，Ｂ＝6.31331×10-7，
Ｃ＝-3.61242×10-8，Ｄ＝9.07821×10-11
【０３９８】
（変倍データ）
広角端    望遠端
D(5)          1.39     28.87
D(10)        30.48      3.00
D(16)         8.72      3.89
D(21)        10.86     15.69
【０３９９】
（条件式（１）に関する数値）
｜ＰＣｔ３ｐ−ＰＣｔ３ｎ｜＝0.0518
ＰＣｔ３ｐ（第３レンズ群Ｇ93に含まれる、正レンズＬ932のＣ線とｔ線に対する部分分散比）＝0.8164
ＰＣｔ３ｎ（第３レンズ群Ｇ93に含まれる、負レンズＬ933のＣ線とｔ線に対する部分分散比）＝0.8682
【０４００】
（条件式（２）に関する数値）
νｄ３ｐ＝71.68
νｄ３ｐ：第３レンズ群Ｇ93に含まれる、正レンズＬ932のｄ線に対するアッベ数
【０４０１】
（条件式（３）に関する数値）
νｄ３ｎ＝64.20
νｄ３ｎ：第３レンズ群Ｇ93に含まれる、負レンズＬ933のｄ線に対するアッベ数
【０４０２】
（条件式（４）に関する数値）
｜ＰｇＦ３ｐ−ＰｇＦ３ｎ｜＝0.0059
ＰｇＦ３ｐ（第３レンズ群Ｇ93に含まれる、正レンズＬ932のｇ線とＦ線に対する部分分散比）＝0.5402
ＰｇＦ３ｎ（第３レンズ群Ｇ93に含まれる、負レンズＬ933のｇ線とＦ線に対する部分分散比）＝0.5343
【０４０３】
（条件式（５）に関する数値）
ＰＣｔ３ｎ−（０．５４６＋０．００４７×νｄ３ｎ）＝0.0205
【０４０４】
（条件式（６）に関する数値）
ｆ３／ｆｗ＝10.65
【０４０５】
（条件式（７）に関する数値）
ｆ１／ｆｔ＝1.00
【０４０６】
（条件式（８）に関する数値）
ｆ３／ｆｔ＝1.12
【０４０７】
（条件式（９）に関する数値）
νｄ４Ｐ＿ａｖｅ＝76.65
νｄ４Ｐ＿ａｖｅ：第４レンズ群Ｇ94に含まれる、正レンズＬ941，Ｌ943のｄ線に対するアッベ数の平均値
【０４０８】
（条件式（１０）に関する数値）
νｄ１ｎ＝23.78
νｄ１ｎ：第１レンズ群Ｇ91に含まれる、負レンズＬ911のｄ線に対するアッベ数
【０４０９】
（条件式（１１）に関する数値）
νｄ１ｐ＝81.61
νｄ１ｐ：第１レンズ群Ｇ91に含まれる、正レンズＬ912のｄ線に対するアッベ数
【０４１０】
（条件式（１２）に関する数値）
νｄ２ｐ＝25.46
νｄ２ｐ：第２レンズ群Ｇ92に含まれる、正レンズＬ923のｄ線に対するアッベ数
【０４１１】
（条件式（１３）に関する数値）
ｆ１／ｆｗ＝9.46
【０４１２】
（条件式（１４）に関する数値）
｜ｆ３／ｆ２｜＝6.08
【０４１３】
（条件式（１５）に関する数値）
ｆ３／ｆ４＝3.19
【０４１４】
（条件式（１６）に関する数値）
ＰＣｔ１ｎ−（０．５４６＋０．００４７×νｄ１ｎ）＝0.0022
ＰＣｔ１ｎ（第１レンズ群Ｇ91に含まれる、負レンズＬ911のＣ線とｔ線に対する部分分散比）＝0.6600
【０４１５】
（条件式（１７）に関する数値）
ＰＣｔ２ｎ−（０．５４６＋０．００４７×νｄ２ｎ）＝0.0003
ＰＣｔ２ｎ（第２レンズ群Ｇ92に含まれる、負レンズＬ921のＣ線とｔ線に対する部分分散比）＝0.7381
νｄ２ｎ＝40.81
νｄ２ｎ：第２レンズ群Ｇ92に含まれる、負レンズＬ921のｄ線に対するアッベ数
【０４１６】
（条件式（１８）に関する数値）
ＰＣｔ４ｎ−（０．５４６＋０．００４７×νｄ４ｎ）＝0.0090
ＰＣｔ４ｎ（第４レンズ群Ｇ94に含まれる、負レンズＬ942のＣ線とｔ線に対する部分分散比）＝0.7464
νｄ４ｎ＝40.73
νｄ４ｎ：第４レンズ群Ｇ94に含まれる、負レンズＬ942のｄ線に対するアッベ数
【０４１７】
（条件式（１９）に関する数値）
νｄ３Ｐ＿ａｖｅ＝69.35
νｄ３Ｐ＿ａｖｅ：第３レンズ群Ｇ93に含まれる、正レンズＬ931，Ｌ932のｄ線に対するアッベ数の平均値
【０４１８】
図１９は、実施例９にかかるズームレンズの諸収差図である。球面収差図において、縦軸はＦナンバー（図中、ＦＮＯで示す）を表し、実線はｄ線（λ＝５８７．５６ｎｍ）、短破線はｇ線（λ＝４３５．８４ｎｍ）、長破線はＩＲ線（λ＝８５０．００ｎｍ）に相当する波長の特性を示している。非点収差図において、縦軸は半画角（図中、ωで示す）を表し、ｄ線に相当する波長の特性を示している。なお、非点収差図において、実線はサジタル平面（図中、Ｓで示す）、破線はメリディオナル平面（図中、Ｍで示す）の特性を示している。歪曲収差図において、縦軸は半画角（図中、ωで示す）を表し、ｄ線に相当する波長の特性を示している。
【０４１９】
なお、上記各実施例中の数値データにおいて、ｒ1，ｒ2，・・・・はレンズ、絞り面等の曲率半径、ｄ1，ｄ2，・・・・はレンズ、絞り等の肉厚またはそれらの面間隔、ｎｄ1，ｎｄ2，・・・・はレンズ等のｄ線（λ＝５８７．５６ｎｍ）に対する屈折率、νｄ1，νｄ2，・・・・はレンズ等のｄ線（λ＝５８７．５６ｎｍ）に対するアッベ数を示している。そして、長さの単位はすべて「ｍｍ」、角度の単位はすべて「°」である。
【０４２０】
また、上記各非球面形状は、光軸に垂直な方向の高さをＨ、レンズ面頂を原点としたときの高さＨにおける光軸方向の変位量をｘ（Ｈ）、近軸曲率半径をＲ、円錐係数をｋ、２次，４次，６次，８次の非球面係数をそれぞれＡ，Ｂ，Ｃ，Ｄとし、光の進行方向を正とするとき、以下に示す式により表される。
【０４２１】
【数１】
0006598147.tif 000002
【０４２２】
上記各実施例に示したように、本発明によれば、上記各条件式を満足することにより、簡易な構成でありながら、可視光域から近赤外域までの広範な波長の光に対して発生する諸収差を全変倍域に亘って良好に補正することが可能な、高い光学性能を備えたズームレンズを実現することができる。さらに、高い光学性能を備えた、大口径、高倍率のズームレンズを実現することができる。
【０４２３】
このような特徴を備えたズームレンズは、主に可視光域の光を用いる写真用のカメラはもとより、夜間撮影も行う監視カメラ等、様々な撮像装置に用いることができる。特に、高画素、高感度化が進んだ撮像素子を備えた撮像装置に好適である。
【産業上の利用可能性】
【０４２４】
以上のように、本発明にかかるズームレンズは、ＣＣＤやＣＭＯＳ等の固体撮像素子が搭載された小型の撮像装置に有用であり、特に、高い光学性能を要求される撮像装置に適している。
【符号の説明】
【０４２５】
Ｇ11，Ｇ21，Ｇ31，Ｇ41，Ｇ51，Ｇ61，Ｇ71，Ｇ81，Ｇ91  第１レンズ群
Ｇ12，Ｇ22，Ｇ32，Ｇ42，Ｇ52，Ｇ62，Ｇ72，Ｇ82，Ｇ92  第２レンズ群
Ｇ13，Ｇ23，Ｇ33，Ｇ43，Ｇ53，Ｇ63，Ｇ73，Ｇ83，Ｇ93  第３レンズ群
Ｇ14，Ｇ24，Ｇ34，Ｇ44，Ｇ54，Ｇ64，Ｇ74，Ｇ84，Ｇ94  第４レンズ群
Ｇ75，Ｇ85  第５レンズ群
Ｌ111，Ｌ121，Ｌ122，Ｌ132，Ｌ142，Ｌ211，Ｌ221，Ｌ222，Ｌ232，Ｌ242，Ｌ311，Ｌ321，Ｌ322，Ｌ331，Ｌ342，Ｌ411，Ｌ421，Ｌ422，Ｌ431，Ｌ442，Ｌ511，Ｌ521，Ｌ522，Ｌ532，Ｌ542，Ｌ611，Ｌ621，Ｌ622，Ｌ631，Ｌ642，Ｌ711，Ｌ721，Ｌ722，Ｌ732，Ｌ742，Ｌ752，Ｌ811，Ｌ821，Ｌ822，Ｌ831，Ｌ842，Ｌ852，Ｌ911，Ｌ921，Ｌ922，Ｌ933，Ｌ942  負レンズ
Ｌ112，Ｌ113，Ｌ123，Ｌ131，Ｌ141，Ｌ143，Ｌ212，Ｌ213，Ｌ223，Ｌ231，Ｌ241，Ｌ243，Ｌ312，Ｌ313，Ｌ323，Ｌ332，Ｌ341，Ｌ343，Ｌ412，Ｌ413，Ｌ423，Ｌ432，Ｌ441，Ｌ443，Ｌ512，Ｌ513，Ｌ523，Ｌ531，Ｌ541，Ｌ543，Ｌ612，Ｌ613，Ｌ623，Ｌ632，Ｌ641，Ｌ643，Ｌ712，Ｌ713，Ｌ723，Ｌ731，Ｌ741，Ｌ743，Ｌ751，Ｌ812，Ｌ813，Ｌ823，Ｌ832，Ｌ841，Ｌ843，Ｌ851，Ｌ912，Ｌ913，Ｌ923，Ｌ931，Ｌ932，Ｌ941，Ｌ943  正レンズ
ＳＴＰ  開口絞り
ＣＧ  カバーガラス
ＩＭＧ  結像面
【図１】
0006598147.tif 000003
【図２】
0006598147.tif 000004
【図３】
0006598147.tif 000005
【図４】
0006598147.tif 000006
【図５】
0006598147.tif 000007
【図６】
0006598147.tif 000008
【図７】
0006598147.tif 000009
【図８】
0006598147.tif 000010
【図９】
0006598147.tif 000011
【図１０】
0006598147.tif 000012
【図１１】
0006598147.tif 000013
【図１２】
0006598147.tif 000014
【図１３】
0006598147.tif 000015
【図１４】
0006598147.tif 000016
【図１５】
0006598147.tif 000017
【図１６】
0006598147.tif 000018
【図１７】
0006598147.tif 000019
【図１８】
0006598147.tif 000020
【図１９】
0006598147.tif 000021